(57)【特許請求の範囲】
【請求項１】
遠隔に位置する試験デバイス（１３０）中において行われている試験を遠隔で監視する方法であって、前記方法は、
コンピューティングデバイスによって、モバイル通信プラットフォームを介して、前記遠隔に位置する試験デバイスの中に取り外し可能に配置される試験試料の前記試験に関する情報を受信することであって、前記モバイル通信プラットフォームは、
前記遠隔に位置する試験デバイスから入力メッセージを受信することであって、前記入力メッセージは、前記試験に関する情報の送信よりも前に、前記遠隔に位置する試験デバイスにおける前記試験試料の前記試験のステータスを示す、ことと、
前記遠隔に位置する試験デバイスに前記試験に関する情報を要求する返信メッセージを生成することと、
前記遠隔に位置する試験デバイスから前記試験に関する情報を前記コンピューティングデバイスに伝送するために前記コンピューティングデバイスと通信することと
を行うように構成されている、ことと、
前記遠隔に位置する試験デバイスから前記コンピューティングデバイスのディスプレイ上に情報メッセージ（１２Ａ；１２Ｂ；１２Ｃ）をレンダリングすることであって、前記情報メッセージは、前記遠隔に位置する試験デバイス（１３０）を示す第１の部分、前記遠隔に位置する試験デバイス（１３０）上で実施されている試験に関連する情報を示す第２の部分、および前記第２の部分が生じてから経過した時間（２２）を示す第３の部分を有する、ことと、
前記経過した時間（２２）を示す前記第３の部分を更新することと
を含む、方法。
【請求項２】
前記試験に関する情報は、試験失敗の指示を含み、レンダリングすることは、前記失敗に関する情報メッセージをレンダリングすることをさらに含む、請求項１に記載の方法。
【請求項３】
前記試験に関する情報は、前記失敗の画像またはビデオ、または前記試験の画像またはビデオを含み、レンダリングすることは、前記失敗の画像またはビデオ、または前記試験の画像またはビデオへのリンクをレンダリングすることをさらに含む、請求項２に記載の方法。
【請求項４】
前記試験、前記試験デバイス、および／または前記試験デバイスに関連付けられた構成要素に関するアラートに関する情報を受信することと、前記アラートを前記ディスプレイ上にレンダリングすることとをさらに含む、請求項１〜３のいずれかに記載の方法。
【請求項５】
前記ディスプレイ上に時系列方式で一連の情報メッセージ（１２Ａ；１２Ｂ；１２Ｃ）をレンダリングすることをさらに含み、前記情報メッセージが前記ディスプレイ上にレンダリングされているとき、前記一連の情報メッセージ内の各情報メッセージの各第３の部分が、各情報メッセージの対応する第２の部分から経過した時間（２２）を示し続けるようにする、請求項１〜４のいずれかに記載の方法。
【請求項６】
前記一連の情報メッセージが、少なくとも２つの異なる試験デバイスによって提供される情報に関連するか、または、前記一連の情報メッセージが、試験デバイス、および／または、前記試験デバイスに接続されている構成要素のみに関連する、請求項５に記載の方法。
【請求項７】
情報メッセージのためのグラフィカルアイコン（２０）を関連付けること、または、試験デバイスの画像（１８）をその試験デバイスに対する情報メッセージに関連付けることをさらに含む、請求項１〜６のいずれかに記載の方法。
【請求項８】
前記遠隔に位置する試験デバイスから前記コンピューティングデバイスの前記ディスプレイ上に情報メッセージをレンダリングした後に、前記コンピューティングデバイスによって、前記コンピューティングデバイスのユーザから、前記試験デバイス、および／または、前記試験デバイスに接続されている構成要素に関連付けられた少なくとも１つのパラメータを示す情報を受信することをさらに含む、請求項１〜７のいずれかに記載の方法。
【請求項９】
モバイル通信プラットフォームおよびコンピューティングデバイスを備えるシステムであって、前記コンピューティングデバイスは、
記憶デバイス（１１２４：１１２５）と、
ディスプレイ（１１４２）と、
前記記憶デバイス（１１２５）および前記ディスプレイ（１１４２）に動作可能に接続されているプロセッサ（１１２６）と
を備え、
前記プロセッサ（１１２６）は、
前記モバイル通信プラットフォームを介して、遠隔に位置する試験デバイスの中に取り外し可能に配置される試験試料の試験に関する情報を受信することであって、前記モバイル通信プラットフォームは、
前記遠隔に位置する試験デバイスから入力メッセージを受信することであって、前記入力メッセージは、前記試験に関する情報の送信よりも前に、前記遠隔に位置する試験デバイスにおける前記試験試料の前記試験のステータスを示す、ことと、
前記遠隔に位置する試験デバイスに前記試験に関する情報を要求する返信メッセージを生成することと、
前記遠隔に位置する試験デバイスから前記試験に関する情報を前記コンピューティングデバイスに伝送するために前記コンピューティングデバイスと通信することと
を行うように構成されている、ことと、
前記ディスプレイ（１１４２）上に情報メッセージ（１２Ａ；１２Ｂ；１２Ｃ）をレンダリングすることであって、前記情報メッセージは、前記遠隔に位置する試験デバイス（１３０）を示す第１の部分、前記遠隔に位置する試験デバイス（１３０）上で実施されている試験に関連する情報を示す第２の部分、および前記第２の部分が生じてから経過した時間（２２）を示す第３の部分を有する、ことと、
前記経過した時間（２２）を示す前記第３の部分を更新することと
を行うように構成されている、システム。
【請求項１０】
前記プロセッサは、
前記試験に関連付けられた画像またはビデオを受信することと、
前記ディスプレイ上に前記試験に関連付けられた前記画像またはビデオをレンダリングすることと
を行うようにさらに構成されている、請求項９に記載のシステム。
【請求項１１】
前記遠隔に位置する試験デバイス（１３０）、前記遠隔に位置する試験デバイス（１３０）上で試験されている前記遠隔に位置する試験デバイスの中に取り外し可能に配置される前記試料、または試験プラットフォームの画像を捕捉するように構成されている画像捕捉デバイス（１３２；２４２）をさらに備え、
前記画像捕捉デバイスは、前記画像捕捉デバイスから前記画像および前記試験に関する情報を受信する前記コンピューティングデバイスに動作可能に接続され、
前記プロセッサは、前記試験を通した選択可能な量の進捗で、前記ディスプレイ上に前記遠隔に位置する試験デバイスのパラメータを示す情報メッセージをレンダリングするように構成されている、請求項９〜１０のいずれかに記載のシステム。
【請求項１２】
前記画像捕捉デバイスが、試験動作の失敗に関連付けられた画像を前記失敗に応じて前記コンピューティングデバイスに伝達するように構成されるか、または、前記画像捕捉デバイスが、前記試験動作のビデオを捕捉し、前記コンピューティングデバイスに、前記試験動作に関連付けられたビデオを伝達するように構成されるか、または、前記画像捕捉デバイスが、前記試験動作の失敗に関連付けられたビデオを前記失敗に応じて前記コンピューティングデバイスに伝達するように構成されるか、または、前記コントローラが、前記ディスプレイ上に、前記遠隔に位置する試験デバイスの状態に対するアラートをレンダリングするようにさらに構成されている、請求項１１に記載のシステム。
【請求項１３】
１つ以上のコントローラユニット（１３４）を通して動作させられる１つ以上の遠隔に位置する試験デバイス（１３０）を含む遠隔に位置する試験システムを監視するためのモバイルデータプラットフォーム（１１；１５６；１５７；１５８）であって、前記モバイルデータプラットフォームは、
前記１つ以上の遠隔に位置する試験デバイス（１３０）上で動作可能な１つ以上の試験に関する情報を受信するための通信デバイスと、
グラフィカルユーザインターフェースを呼び出して前記受信された情報を表示するように構成されているディスプレイ構成要素であって、前記受信された情報は、個々のユーザによって識別されるパラメータによって、その個々のユーザに対して決定される、ディスプレイ構成要素と、
モバイル通信プラットフォームと
を備え、
前記モバイル通信プラットフォームは、
前記１つ以上の遠隔に位置する試験デバイスから入力メッセージを受信することであって、前記入力メッセージは、前記１つ以上の試験に関する情報の送信よりも前に、前記１つ以上の遠隔に位置する試験デバイスにおける前記１つ以上の試験のステータスを示す、ことと、
前記１つ以上の遠隔に位置する試験デバイスに前記１つ以上の試験に関する情報を要求する返信メッセージを生成することと
を行うように構成されており、
前記モバイル通信プラットフォームは、前記１つ以上の遠隔に位置する試験デバイスから前記1つ以上の試験に関する情報を前記１つ以上の遠隔に位置する試験デバイスから遠隔に位置する１つ以上の遠隔コンピューティングデバイスに伝送するために前記１つ以上の遠隔コンピューティングデバイスと通信するように構成されている、モバイルデータプラットフォーム。
【請求項１４】
前記受信された情報は、前記ディスプレイ構成要素上にレンダリングされ、情報メッセージを含み、前記情報メッセージは、試験デバイスを示す第１の部分、試験機械または前記試験デバイス上で実施されている試験のうちの少なくとも１つに関連する情報を示す第２の部分、および前記第２の部分が生じてから経過した時間を示す第３の部分を有する、請求項１３に記載のモバイルデータプラットフォーム。
【請求項１５】
前記受信された情報の第３の部分は、前記情報メッセージに関連付けられたイベントが生じてから経過した時間を示すように更新される、請求項１４に記載のモバイルデータプラットフォーム。
【発明の詳細な説明】
【技術分野】
【０００１】
（関連出願）
本願は、米国仮出願第６１／８８４，９２８号（２０１３年９月３０日出願、本願と同名称）の利益を主張し、上記出願は、その全体が参照により本明細書に援用される。
【背景技術】
【０００２】
参照することによって、全体として本明細書に組み込まれる、米国特許出願公開第ＵＳ２０１３／０２１２５１２Ａ１号（特許文献１）は、そこで説明される概念でもとりわけ、データ（特に、例えば、消費者製品、材料、構成要素、構造等の性能を試験するために使用される試験機械からの試験データおよび／または他の情報）への遠隔アクセスを提供するための装置および方法を可能にするシステムまたはオペレーティングアーキテクチャについて説明している。試験デバイスから得られたデータに関する改良、および／または、モバイルもしくは遠隔デバイスのユーザへのそのような情報をユーザのために便利な様式でレンダリングすることが、常に望まれている。
【先行技術文献】
【特許文献】
【０００３】
【特許文献１】米国特許出願公開第２０１３／０２１２５１２号明細書
【発明の概要】
【課題を解決するための手段】
【０００４】
本明細書における本概要および要約は、以下の発明を実施するための形態にさらに説明される一連の概念を簡略化された形態において紹介するために提供される。本概要および要約は、請求される主題の重要な特徴または不可欠な特徴を識別することを意図するものではなく、請求される主題の範囲の決定の補助として使用されることを意図するものでもない。請求される主題は、背景に記述される任意または全ての不利点を解決する実装に限定されるものではない。
【０００５】
本発明の側面は、試験に関する情報を受信することと、試験デバイスから遠隔のコンピューティングデバイスのディスプレイ上に、試験デバイスを示す第１の部分、試験デバイスまたは試験デバイス上で実施されている試験に関連する情報を示す第２の部分、および第２の部分が生じてから経過した時間を示す第３の部分を有する、情報メッセージをレンダリングすることと、経過した時間を示す第３の部分を更新することとを含む、試験試料に対して行われている試験を遠隔で監視する方法を提供する。
【０００６】
本発明の別の側面は、試験デバイス上で行われている試験に関する、またはそれに関連する情報を受信するように構成されているインターフェースと、記憶デバイスと、ディスプレイと、インターフェース、記憶デバイス、およびディスプレイに動作可能に接続されているプロセッサであって、試験に関する情報を受信し、ディスプレイ上に、試験デバイスを示す第１の部分、試験デバイスまたは試験デバイス上で実施されている試験に関連する情報を示す第２の部分、および第２の部分が生じてから経過した時間を示す第３の部分を有する、情報メッセージをレンダリングし、経過した時間を示す第３の部分を更新するように構成されている、プロセッサとを備えている、コンピューティングデバイスを提供する。
【０００７】
本発明のなおも別の側面は、画像捕捉デバイスと、画像捕捉デバイスに動作可能に接続され、画像捕捉デバイスから、試験動作に関する情報を受信するコンピューティングデバイスであって、試験動作に関する情報を受信し、ディスプレイ上に、試験動作を通した選択可能な量の進捗で、試験デバイスのパラメータを示す情報メッセージをレンダリングするように構成されるコントローラを有する、コンピューティングデバイスとを備えている、試験デバイス上の試験動作を監視するように構成されているシステムを提供する。
【０００８】
本発明の別の側面は、画像捕捉デバイスと、画像捕捉デバイスに動作可能に接続され、画像捕捉デバイスから、試験動作に関する情報を受信するコンピューティングデバイスであって、試験動作に関する情報を受信し、ディスプレイ上に、試験デバイスを示す第１の部分、試験デバイスまたは試験デバイス上で実施されている試験に関連する情報を示す第２の部分、および第２の部分が生じてから経過した時間を示す第３の部分を有する、情報メッセージをレンダリングし、経過した時間を示す第３の部分を更新するように構成されるコントローラを有する、コンピューティングデバイスとを備えている、試験デバイス上の試験動作を監視するように構成されているシステムを提供する。
【０００９】
本発明のさらに別の側面は、試験プラットフォームに動作可能に連結されるコントローラを有する、試験プラットフォームと、コントローラに動作可能に連結され、試験、試験プラットフォーム、または試験プラットフォーム上の試験試料に関する情報を捕捉する画像捕捉デバイスとを備え、コントローラは、１つ以上の試験デバイスのうちの試験デバイスを示す第１の部分、試験デバイスまたは試験デバイス上で実施されている試験に関連する情報を示す第２の部分、および第２の部分が生じてから経過した時間を示す第３の部分を有する、情報メッセージを生成するように構成される、試験デバイスを提供する。
【００１０】
本発明の別の側面は、１つ以上の試験デバイスから、１つ以上の試験デバイス上で動作可能な１つ以上の試験に関連付けられた情報メッセージを読み出すように構成されているモバイル試験インターフェース構成要素と、グラフィカルユーザインターフェースを呼び出し、読み出された情報メッセージであって、１つ以上の試験デバイスのうちの試験デバイスを示す第１の部分、試験デバイスまたは試験デバイス上で実施されている試験に関連する情報を示す第２の部分、および第２の部分が生じてから経過した時間を示す第３の部分を有する、情報メッセージを表示するように構成されているディスプレイ構成要素とを備えている、コンピュータ記憶媒体上に記憶された命令を含み、コンピューティングデバイスの１つ以上のハードウェア構成要素を通して動作可能なモバイルアプリケーションツールを提供する。
【００１１】
本発明のさらに別の側面は、１つ以上の試験デバイス上で動作可能な１つ以上の試験に関する情報を受信するための通信プラットフォームと、グラフィカルユーザインターフェースを呼び出し、受信される情報を表示するように構成されているディスプレイ構成要素であって、受信される情報は、個々のユーザによって識別されるパラメータによって、その個々のユーザに対して決定される、ディスプレイ構成要素とを備えている、１つ以上のコントローラユニットを通して動作させられる１つ以上の試験デバイスを含む試験システムを監視するためのモバイルデータプラットフォームを提供する。
【００１２】
追加の本発明の側面は、以下を含み、所望に応じて、前述の側面のいずれかおよび相互と組み合わせられ得る。
【００１３】
試験に関する情報は、試験失敗の指示を含み、レンダリングすることはさらに、失敗に関する情報メッセージをレンダリングすることを含む、側面。
【００１４】
試験に関する情報は、失敗の画像またはビデオを含み、レンダリングすることはさらに、失敗の画像またはビデオへのリンクをレンダリングすることを含む、側面。
【００１５】
試験に関する情報は、試験動作の画像またはビデオを含み、レンダリングすることはさらに、画像またはビデオへのリンクをレンダリングすることを含む、側面。
【００１６】
試験、試験デバイス、および／または試験デバイスに関連付けられた構成要素に関するアラートに関する情報を受信することと、アラートをディスプレイ上にレンダリングすることとをさらに提供する、側面。
【００１７】
情報メッセージがディスプレイ上にレンダリングされているとき、ディスプレイ上に、一連の情報メッセージ内の各情報メッセージの各第３の部分が、各情報メッセージの対応する第２の部分から経過した時間を示し続けるように、時系列方式で一連の情報メッセージをレンダリングすることをさらに提供する、側面。
【００１８】
一連の情報メッセージは、少なくとも２つの異なる試験デバイスによって提供される情報に関連している、側面。
【００１９】
一連の情報メッセージは、試験デバイス、試験デバイスに接続されている構成要素、および／または情報メッセージを監視することが認可されたユーザ間の通信のみに関連する、側面。
【００２０】
情報メッセージのためのグラフィカルアイコンを関連付けることをさらに提供する、側面。
【００２１】
試験デバイスの画像をその試験デバイスに対する情報メッセージに関連付けることをさらに提供する、側面。
【００２２】
コンピューティングデバイスのユーザから、情報を受信することをさらに提供し、情報は、試験デバイスに関連付けられた少なくとも１つのパラメータ、そこに接続されている構成要素、および／または情報メッセージを監視することを認可されたユーザ間の通信が情報メッセージにおいて送信されるべきことを示す、側面。
【００２３】
プロセッサはさらに、試験動作に関連付けられた画像またはビデオを受信し、ディスプレイ上に、試験動作に関連付けられた画像またはビデオをレンダリングするように構成される、側面。
【００２４】
画像捕捉デバイスは、試験動作の画像を捕捉し、コンピューティングデバイスに、試験動作に関連付けられた画像を伝達するように構成される、側面。
【００２５】
画像捕捉デバイスは、失敗に応じて、試験動作の失敗に関連付けられた画像をコンピューティングデバイスに伝達するように構成される、側面。
【００２６】
画像捕捉デバイスは、試験動作のビデオを捕捉し、コンピューティングデバイスに、試験動作に関連付けられたビデオを伝達するように構成される、側面。
【００２７】
画像捕捉デバイスは、失敗に応じて、試験動作の失敗に関連付けられたビデオをコンピューティングデバイスに伝達するように構成される、側面。
【００２８】
コントローラはさらに、ディスプレイ上に、試験デバイスの状態に対するアラートをレンダリングするように構成される、側面。
【００２９】
ツールは、アクティブ化されると、１つ以上の試験デバイスに対するアラート通知を読み出す、アラート機能を含む、側面。
【００３０】
１つ以上の試験デバイスのうちの試験デバイスに対する試験サイクルまたは試験の完了を示す情報メッセージを提供するためのアラート機能をさらに提供する、側面。
【００３１】
受信された情報は、ディスプレイ構成要素上にレンダリングされ、試験デバイスを示す第１の部分、試験機械または試験デバイス上で実施されている試験に関連する情報を示す第２の部分、および第２の部分が生じてから経過した時間を示す第３の部分を有する、情報メッセージを含む、側面。
【００３２】
受信された情報第３の部分は、情報メッセージに関連付けられたイベントが生じてから経過した時間を示すように更新される、側面。
【００３３】
本発明の他の側面は、請求項１−１１に記載の方法のいずれかを実装するためのコンピ
ューティングデバイス、システム、および／またはモバイルツールを含む。
本願明細書は、例えば、以下の項目も提供する。
（項目１）
試験試料に対して行われている試験を遠隔で監視する方法であって、前記方法は、
前記試験に関する情報を受信することと、
前記試験デバイスから遠隔のコンピューティングデバイスのディスプレイ上に情報メッ
セージをレンダリングすることであって、前記情報メッセージは、試験デバイスを示す第
１の部分、前記試験デバイスまたは前記試験デバイス上で実施されている試験に関連する
情報を示す第２の部分、および前記第２の部分が生じてから経過した時間を示す第３の部
分を有する、ことと、
前記経過した時間を示す前記第３の部分を更新することと
を含む、方法。
（項目２）
前記試験に関する情報は、試験失敗の指示を含み、レンダリングすることは、前記失敗
に関する情報メッセージをレンダリングすることをさらに含む、項目１に記載の方法。
（項目３）
前記試験に関する情報は、前記失敗の画像またはビデオを含み、レンダリングすること
は、前記失敗の画像またはビデオへのリンクをレンダリングすることをさらに含む、請求
項２に記載の方法。
（項目４）
前記試験に関する情報は、前記試験動作の画像またはビデオを含み、レンダリングする
ことは、前記画像またはビデオへのリンクをレンダリングすることをさらに含む、項目
１−３のいずれかに記載の方法。
（項目５）
前記試験、前記試験デバイス、および／または前記試験デバイスに関連付けられた構成
要素に関するアラートに関する情報を受信することと、前記アラートを前記ディスプレイ
上にレンダリングすることとをさらに含む、項目１−４のいずれかに記載の方法。
（項目６）
前記ディスプレイ上に時系列方式で一連の情報メッセージをレンダリングすることをさ
らに含み、前記情報メッセージが前記ディスプレイ上にレンダリングされているとき、前
記一連の情報メッセージ内の各情報メッセージの各第３の部分は、各情報メッセージの対
応する第２の部分から経過した時間を示し続ける、項目１−５のいずれかに記載の方法
。
（項目７）
前記一連の情報メッセージは、少なくとも２つの異なる試験デバイスによって提供され
る情報に関連する、項目６に記載の方法。
（項目８）
前記一連の情報メッセージは、試験デバイス、前記試験デバイスに接続されている構成
要素、および／または前記情報メッセージを監視することが認可されたユーザ間の通信の
みに関連する、項目６に記載の方法。
（項目９）
情報メッセージのためのグラフィカルアイコンを関連付けることをさらに含む、項目
１−８のいずれかに記載の方法。
（項目１０）
試験デバイスの画像をその試験デバイスに対する情報メッセージに関連付けることをさ
らに含む、項目１−９のいずれかに記載の方法。
（項目１１）
前記コンピューティングデバイスのユーザから情報を受信することをさらに含み、前記
情報は、前記試験デバイスに関連付けられた少なくとも１つのパラメータ、前記試験デバ
イスに接続されている構成要素、および／または前記情報メッセージを監視することを認
可されたユーザ間の通信が情報メッセージにおいて送信されるべきことを示す、項目１
−１０のいずれかに記載の方法。
（項目１２）
コンピューティングデバイスであって、
試験デバイス上で行われている試験に関する情報、または前記試験デバイスに関連する
情報を受信するように構成されているインターフェースと、
記憶デバイスと、
ディスプレイと、
前記インターフェース、前記記憶デバイス、および前記ディスプレイに動作可能に接続
されているプロセッサと
を備え、
前記プロセッサは、
前記試験に関する情報を受信することと、
前記ディスプレイ上に情報メッセージをレンダリングすることであって、前記情報メッ
セージは、前記試験デバイスを示す第１の部分、前記試験デバイスまたは前記試験デバイ
ス上で実施されている試験に関連する情報を示す第２の部分、および前記第２の部分が生
じてから経過した時間を示す第３の部分を有する、ことと、
前記経過した時間を示す前記第３の部分を更新することと
を行うように構成されている、コンピューティングデバイス。
（項目１３）
前記プロセッサは、
試験動作に関連付けられた画像またはビデオを受信することと、
前記ディスプレイ上に前記試験動作に関連付けられた前記画像またはビデオをレンダリ
ングすることと
を行うようにさらに構成されている、項目１２に記載のコンピューティングデバイス
。
（項目１４）
試験デバイス上の試験動作を監視するように構成されているシステムであって、
画像捕捉デバイスと、
前記画像捕捉デバイスに動作可能に接続され、前記画像捕捉デバイスから前記試験動作
に関する情報を受信するコンピューティングデバイスと
を備え、
前記コンピューティングデバイスは、コントローラを有し、前記コントローラは、
前記試験動作に関する情報を受信することと、
前記試験動作を通した選択可能な量の進捗で、ディスプレイ上に前記試験デバイスのパ
ラメータを示す情報メッセージをレンダリングすることと
を行うように構成されている、システム。
（項目１５）
前記コンピューティングデバイスはさらに、前記画像捕捉デバイスに動作可能に接続さ
れ、前記ディスプレイ上に情報メッセージをレンダリングすることであって、前記情報メ
ッセージは、前記試験デバイスを示す第１の部分、前記試験デバイスまたは前記試験デバ
イス上で実施されている試験に関連する情報を示す第２の部分、および前記第２の部分が
生じてから経過した時間を示す第３の部分を有する、ことと、経過した時間を示す前記第
３の部分を更新することとを行う、項目１４に記載のシステム。
（項目１６）
前記画像捕捉デバイスは、試験動作の画像を捕捉し、前記コンピューティングデバイス
に、前記試験動作に関連付けられた画像を伝達するように構成されている、項目１４−
１５のいずれかに記載のシステム。
（項目１７）
前記画像捕捉デバイスは、失敗に応じて、前記試験動作の前記失敗に関連付けられた画
像を前記コンピューティングデバイスに伝達するように構成されている、項目１６に記
載のシステム。
（項目１８）
前記画像捕捉デバイスは、試験動作のビデオを捕捉し、前記コンピューティングデバイ
スに、前記試験動作に関連付けられたビデオを伝達するように構成されている、項目１
４−１７のいずれかに記載のシステム。
（項目１９）
前記画像捕捉デバイスは、失敗に応じて、前記試験動作の前記失敗に関連付けられたビ
デオを前記コンピューティングデバイスに伝達するように構成されている、項目１８に
記載のシステム。
（項目２０）
前記コントローラは、前記ディスプレイ上に、前記試験デバイスの状態に対するアラー
トをレンダリングするようにさらに構成されている、項目１４−１９のいずれかに記載
のシステム。
（項目２１）
試験デバイスであって、
コントローラを有する試験プラットフォームであって、前記コントローラは、前記試験
プラットフォームに動作可能に連結されている、試験プラットフォームと、
前記コントローラに動作可能に連結され、試験、前記試験プラットフォーム、または前
記試験プラットフォーム上の試験試料に関する情報を捕捉する画像捕捉デバイスと
を備え、
前記コントローラは、情報メッセージを生成するように構成され、前記情報メッセージ
は、１つ以上の試験デバイスのうちの試験デバイスを示す第１の部分、前記試験デバイス
または前記試験デバイス上で実施されている試験に関連する情報を示す第２の部分、およ
び前記第２の部分が生じてから経過した時間を示す第３の部分を有する、試験デバイス。
（項目２２）
コンピュータ記憶媒体上に記憶された命令を含み、コンピューティングデバイスの１つ
以上のハードウェア構成要素を通して動作可能なモバイルアプリケーションツールであっ
て、
１つ以上の試験デバイスから情報メッセージを読み出すように構成されているモバイル
試験インターフェース構成要素であって、前記情報メッセージは、前記１つ以上の試験デ
バイス上で動作可能な１つ以上の試験に関連付けられている、モバイル試験インターフェ
ース構成要素と、
グラフィカルユーザインターフェースを呼び出し、前記読み出された情報メッセージを
表示するように構成されているディスプレイ構成要素と
を備え、
前記情報メッセージは、前記１つ以上の試験デバイスのうちの試験デバイスを示す第１
の部分、前記試験デバイスまたは前記試験デバイス上で実施されている試験に関連する情
報を示す第２の部分、および前記第２の部分が生じてから経過した時間を示す第３の部分
を有する、モバイルアプリケーションツール。
（項目２３）
前記ツールは、アラート機能を含み、前記アラート機能は、アクティブ化されると、前
記１つ以上の試験デバイスに対するアラート通知を読み出す、項目２２に記載のモバイ
ルアプリケーションツール。
（項目２４）
前記１つ以上の試験デバイスのうちの試験デバイスに対する試験サイクルまたは試験の
完了を示す情報メッセージを提供するためのアラート機能をさらに備えている、項目２
２−２３のいずれかに記載のモバイルアプリケーションツール。
（項目２５）
１つ以上のコントローラユニットを通して動作させられる１つ以上の試験デバイスを含
む試験システムを監視するためのモバイルデータプラットフォームであって、
前記１つ以上の試験デバイス上で動作可能な１つ以上の試験に関する情報を受信するた
めの通信プラットフォームと、
グラフィカルユーザインターフェースを呼び出し、前記受信される情報を表示するよう
に構成されているディスプレイ構成要素と
を備え、
前記受信される情報は、個々のユーザによって識別されるパラメータによって、その個
々のユーザに対して決定される、モバイルデータプラットフォーム。
（項目２６）
前記受信される情報は、前記ディスプレイ構成要素上にレンダリングされ、情報メッセ
ージを含み、前記情報メッセージは、試験デバイスを示す第１の部分、前記試験機械また
は前記試験デバイス上で実施されている試験に関連する情報を示す第２の部分、および前
記第２の部分が生じてから経過した時間を示す第３の部分を有する、項目２５に記載の
モバイルデータプラットフォーム。
（項目２７）
前記受信される情報の前記第３の部分は、前記情報メッセージに関連付けられたイベン
トが生じてから経過した時間を示すように更新される、項目２６に記載のモバイルデー
タプラットフォーム。
（項目２８）
項目１−１１に記載の方法のいずれかを実装するためのコンピューティングデバイス
。
（項目２９）
項目１−１１に記載の方法のいずれかを実装するためのシステム。
（項目３０）
項目１−１１に記載の方法のいずれかを実装するためのモバイルツール。
【図面の簡単な説明】
【００３４】
【図１】図１は、モバイルデバイスおよびレンダリングされたディスプレイの実施形態を図示する。
【図２】図２は、別の実施形態による、パラメータ選択のスクリーンショットを図示する。
【図３】図３、４、４Ａ−４Ｂ、および５−１２は、他の実施形態による、スクリーンショットを図示する。
【図４】図３、４、４Ａ−４Ｂ、および５−１２は、他の実施形態による、スクリーンショットを図示する。
【図４Ａ】図３、４、４Ａ−４Ｂ、および５−１２は、他の実施形態による、スクリーンショットを図示する。
【図４Ｂ】図３、４、４Ａ−４Ｂ、および５−１２は、他の実施形態による、スクリーンショットを図示する。
【図５】図３、４、４Ａ−４Ｂ、および５−１２は、他の実施形態による、スクリーンショットを図示する。
【図６】図３、４、４Ａ−４Ｂ、および５−１２は、他の実施形態による、スクリーンショットを図示する。
【図７】図３、４、４Ａ−４Ｂ、および５−１２は、他の実施形態による、スクリーンショットを図示する。
【図８】図３、４、４Ａ−４Ｂ、および５−１２は、他の実施形態による、スクリーンショットを図示する。
【図９】図３、４、４Ａ−４Ｂ、および５−１２は、他の実施形態による、スクリーンショットを図示する。
【図１０】図３、４、４Ａ−４Ｂ、および５−１２は、他の実施形態による、スクリーンショットを図示する。
【図１１】図３、４、４Ａ−４Ｂ、および５−１２は、他の実施形態による、スクリーンショットを図示する。
【図１２】図３、４、４Ａ−４Ｂ、および５−１２は、他の実施形態による、スクリーンショットを図示する。
【図１２Ａ】図１２Ａは、別の実施形態による、システムの実施形態を図示する。
【図１３】図１３−１９は、他の実施形態による、スクリーンショットを図示する。
【図１４】図１３−１９は、他の実施形態による、スクリーンショットを図示する。
【図１５】図１３−１９は、他の実施形態による、スクリーンショットを図示する。
【図１６】図１３−１９は、他の実施形態による、スクリーンショットを図示する。
【図１７】図１３−１９は、他の実施形態による、スクリーンショットを図示する。
【図１８】図１３−１９は、他の実施形態による、スクリーンショットを図示する。
【図１９】図１３−１９は、他の実施形態による、スクリーンショットを図示する。
【図２０】図２０は、試験デバイスのための試験データおよびステータスへのアクセスを提供するための遠隔試験プラットフォームの実施形態を図示する。
【図２１】図２１−２２は、図１に図示される遠隔試験プラットフォームとインターフェースをとるための通信シーケンスの実施形態を図示する。
【図２２】図２１−２２は、図１に図示される遠隔試験プラットフォームとインターフェースをとるための通信シーケンスの実施形態を図示する。
【図２３】図２３は、実験室設備内の複数の試験デバイスのための試験データおよびステータスへのアクセスを提供するための遠隔試験プラットフォームの実施形態を図示する。
【図２４】図２４−２５は、試験デバイスを識別するための画像またはバーコード、またはそのためのステータス情報およびデータにアクセスするための構成要素を利用する、遠隔試験プラットフォームの実施形態を図示する。
【図２５】図２４−２５は、試験デバイスを識別するための画像またはバーコード、またはそのためのステータス情報およびデータにアクセスするための構成要素を利用する、遠隔試験プラットフォームの実施形態を図示する。
【図２６】図２６は、図５−６に図示されるような画像またはバーコードを利用するためのステップを図示する。
【図２７】図２７は、モバイル試験プラットフォームの機能を実装するためのディスプレイバーを図示する。
【図２８】図２８−３０は、遠隔試験プラットフォームとインターフェースを取り、試験データおよびステータスにアクセスするように構成される、コンピューティングデバイスのためのＧＵＩディスプレイを図示する。
【図２９】図２８−３０は、遠隔試験プラットフォームとインターフェースを取り、試験データおよびステータスにアクセスするように構成される、コンピューティングデバイスのためのＧＵＩディスプレイを図示する。
【図３０】図２８−３０は、遠隔試験プラットフォームとインターフェースを取り、試験データおよびステータスにアクセスするように構成される、コンピューティングデバイスのためのＧＵＩディスプレイを図示する。
【図３１】図３１は、モバイル試験プラットフォームのアラート機能によって生成されるアラート通知を図示する。
【図３２】図３２は、モバイル試験プラットフォームのメッセージング機能の実施形態を図示する。
【図３３】図３３は、保守、技術サポート、製品／付属品、および利用測定ツールを含む、クラウドコンピューティングプラットフォームの実施形態を図示する。
【発明を実施するための形態】
【００３５】
本発明の側面は、第ＵＳ２０１３／０２１２５１２Ａ１号に図示および説明されるもの等、１つ以上の試験デバイスの変化に関連する情報を提供する、ユーザインターフェース１０である。一例として、ユーザインターフェース１０は、第ＵＳ２０１３／０２１２５１２Ａ１号に図示および説明されるように、携帯電話１５６、タブレットコンピューティングデバイス１５７、ポータブルコンピューティングデバイス１５８（前述は全て、「モバイル」コンピューティングデバイスの実施例である）、または試験デバイスから遠隔の他のコンピューティングデバイス等の任意の好適なコンピューティングデバイス１１上にレンダリングされることができる。本明細書で論じられるユーザインターフェースは、前述の米国公開特許出願に図示および説明されるアーキテクチャに好適であり、遠隔コンピューティングデバイスは、任意の有線または無線通信リンクを使用して、遠隔試験プラットフォームまたはクラウドコンピューティングプラットフォームと通信すし、ユーザインターフェース１０は、システムコントローラ１３４、または他のコンピューティングデバイス（以下に説明され、試験デバイスに関連付けられる、１１２０等）のような試験デバイスとも直接通信する前述のコンピューティングデバイスのいずれか上にレンダリングされることができることに留意されたい。遠隔コンピューティングデバイスは、一実施形態では、試験デバイス上で試験を実施するか、またはそれを制御するために使用されるコンピューティングデバイス（前述のようなモバイルデバイスまたはローカルエリアネットワークもしくは広域ネットワークから情報を受信するデスクトップコンピュータ等）ではない。「遠隔」コンピューティングデバイスは、一実施形態では、試験デバイスに近接近していない。
【００３６】
ユーザインターフェース１０は、本明細書では、１２Ａ、１２Ｂ、１２Ｃとして例示される、時系列のレンダリングされる情報メッセージを備えている。各情報メッセージ１２Ａ−１２Ｃは、典型的には、単一試験デバイスまたは装置に関連付けられる。一例として、情報メッセージ１２Ａを参照すると、各メッセージは、典型的には、試験デバイス識別子１４と、関連付けられた記述アクション部分１６とを含み、それらは、一緒に、遠隔コンピューティングデバイスのユーザに、そのメッセージが関連する試験デバイスと、生じたアクションまたはイベントとの簡潔かつ便利な説明を提供する。図示されるように、各情報メッセージ１２Ａ−１２Ｃはさらに、試験デバイスの小さい記録画像、または、試験デバイスを表す記録画像等の代表的なグラフィカル画像１８を含むことができる。グラフィカル画像１８はまた、ユーザが、実際の試験デバイスを情報メッセージに正しく関連付けるのを補助する。グラフィカル画像１８は、遠隔コンピューティングデバイス上のメモリ内に記憶され、情報メッセージとともにレンダリングされることができる。本実施形態では、遠隔コンピューティングデバイスのプロセッサは、その中に記憶された正しいグラフィカル画像を得るために、遠隔コンピューティングデバイスによって受信された情報メッセージ内またはそれに関連付けられたある識別子を処理することができる。所望に応じて、グラフィカル画像は、試験デバイスによって、情報メッセージを備えている他の情報とともに送信されることができる。
【００３７】
所望に応じて、情報メッセージの各々をレンダリングするために使用されるソフトウェアモジュールは、ユーザが、試験デバイスが講じたアクションを確認するのをさらに補助し得る１つ以上のグラフィカルアイコン２０をレンダリングすることもできる。例えば、停止サインのグラフィカルアイコンは、情報メッセージ１２Ａに図示されるように、関連付けられた試験デバイスが停止したことを示すことができる一方、矢印先端を示すグラフィカルアイコンは、情報メッセージ１２Ｃに図示されるように、関連付けられた試験デバイスが試験の動作を開始したことを示すために使用されることができる。グラフィカル画像１８と同様に、グラフィカルアイコン２０は、情報メッセージを備えている他の情報とともに送信され、および／または記述アクション１６もしくは情報メッセージを備えている情報とともに送信される他のアイコン識別に基づいて、遠隔コンピューティングデバイスのプロセッサによってレンダリングされることができる。
【００３８】
他のグラフィカルアイコンもさらに、所望に応じて、レンダリングされることができる。情報メッセージ１２Ａに戻って参照すると、ベルを図示するグラフィカルアイコンは、典型的には、電子メール、テキストメッセージ等の異なる形態の通信を使用して、アラートが送信されたことを示す。アラートは、典型的には、遠隔コンピューティングデバイスユーザまたは他者が、特に懸念する、イベントに関連付けられる。アラートグラフィカルアイコンは、ユーザに、イベントの重要性を示し、かつ試験デバイスの動作に関与する他者も同様にアラートメッセージを受信するであろうことを示すことができる。
【００３９】
各情報メッセージ１２Ａ−１２Ｃはさらに、識別子１４および記述アクション１６によって示される、試験デバイスのステータスの変化の発生から経過した時間量を示す、経過時間インジケータ２２を含む。レンダリングされたタイムスタンプを含むであろう、アラートまたは他のメッセージ等のメッセージと異なり、経過時間インジケータ２２は、ユーザに、イベントが生じてから経過した時間量を伝達する、より読みやすい形式と見なされ得、これは、再び、情報メッセージの重要性を確認する補助となり得る。
【００４０】
好ましい実施形態では、各情報メッセージ１２Ａ−１２Ｃ内に示される部分２２における経過した時間量は、情報メッセージが表示されている場合、ユーザインターフェース１０上で継続的に更新およびレンダリングされる。したがって、新しい情報メッセージが、ある期間に対して、受信されない場合でも、経過時間インジケータ２２は、時間とともに増加するであろう。典型的には、情報メッセージ内に示されるアクティビティが生じてからの分および／または時間の整数、ならびに／もしくはそれらの小数を備えているようにレンダリングされた値で、十分である。しかしながら、所望に応じて、秒、日、および／または週等の単位で測定された経過時間が、試験デバイスおよび／またはそれに対して行われている試験による所望または必要に応じて、レンダリングされることができる。例えば、イベントが、先日にあった場合、部分２２は、限定ではないが、「昨日の２：３５」または「火曜日の４：５０ｐｍ」等の先日を指し得る。同様に、時間部分は、特に、例えば、１週間を上回る、先日であるとき、例えば、「９月３日１２：０４ａｍ」のように具体的日を指し得る。時間インジケータはさらに、代替として、または加えて、イベントが生じたときを示すタイムスタンプを備えていることができることに留意されたい。
【００４１】
図示される実施形態では、試験デバイスまたは試験デバイス上で実施されている試験に責任を負う個人もまた、情報メッセージ内に含まれることができる。例えば、Ｆ．  Ｓｔｅｐｈａｎ  Ｋｉｒｓｃｈｂａｕｍは、情報メッセージ１２Ａ内の試験デバイス上で実施されている試験「ＨＦ  ＭＡＳＴ  ＃２」に責任を負うエンジニアである一方、試験を実施するオペレータは、Ｎｉｃｈｏｌａｓ  Ｋｒｅｉｄｂｅｒｇである。このように、ユーザインターフェース１０を有するコンピューティングデバイスのユーザは、情報メッセージに関連付けられたイベントおよび／または試験デバイスに関して、連絡をとるべき個人を容易に確認することができる。
【００４２】
前述のように、情報メッセージ１２Ａ−１２Ｃは、順に配列され、最新情報メッセージは、ユーザインターフェース１０の最上部に表示される。より前に生じたそれらの情報メッセージは、最新情報メッセージとともにコンピューティングデバイス上に表示されることも、されないこともある。しかしながら、前の情報メッセージは、ポインティングデバイス（例えば、マウス、物理的ボタン、ディスプレイ上に視覚的にレンダリングされたボタン等）等の好適な入力デバイスを使用して、時系列の情報メッセージを通してスクロールすることによって、ユーザにレンダリングされることができる。ユーザインターフェース１０が、感圧式画面を有するスマートフォン１１上にレンダリングされる、図示される実施形態では、ユーザは、単に、情報メッセージを通して、その指を上下にスクロールすることができる。
【００４３】
図２を参照すると、ユーザインターフェース１０の実施形態はまた、試験デバイス上で実施されている試験に関する周期的更新に関連する情報メッセージを備えていることができる。情報メッセージ１２Ｂは、例示である。本実施例では、情報メッセージ１２Ｂは、試験デバイス「フレーム＃１」が、その上で実施されている試験の５０％を完了し、試験プロシージャを通して６００サイクル時点にあることを伝達する。ユーザが着目する試験デバイスの各々に対する周期的更新頻度は、コンピューティングデバイス上にレンダリングされ得る、４０に図示されるような好適なメニューを通してアクセスされることができる。図示される実施形態では、ユーザは、入力ボックス４２および４４の値のエントリによって、期間を調節することができる。ユーザは、入力ボックス４６において、試験デバイスに関する情報のいくつかまたは全てを選択することができる。選択ボックス４８および５０は、それぞれ、周期的更新をオフまたはオンにする。メニュー４０を介したデータエントリの完了に応じて、要求される周期的更新に関する情報は、試験プロシージャにおいて要求される更新を組み込み、適宜、それらを送信するために、直接または前述の公開される米国特許出願に説明されるようなサーバプラットフォームを介して、試験デバイスのコンピューティングデバイスまたはコントローラに送信される。要求される更新は、要求される周期的更新が、他の遠隔コンピューティングデバイスユーザではなく、要求する遠隔コンピューティングデバイスユーザのみに送信されるように、遠隔コンピューティングデバイスユーザに関連付けられ得ることに留意されたい。各情報メッセージのために試験デバイスのコンピューティングデバイスまたはコントローラによって生成される情報は、どの遠隔コンピューティングデバイスユーザが情報メッセージを受信すべきかについての識別情報を含むことができ、および／または前述の米国公開特許出願におけるサーバプラットフォームは、どの情報メッセージが各遠隔コンピューティングデバイスに送信されるべきかを制御することができる。
【００４４】
図３を参照すると、別の実施形態では、時間列においてレンダリングされる情報メッセージに関連する追加の情報もまた、得られることができる。図示される実施形態では、ユーザインターフェース１０上の情報メッセージ１２Ｂの選択は、スクリーンショット５１に図示される追加の情報をレンダリングするであろう。スマートフォン１１上のユーザインターフェース１０の実施形態では、スクリーンショット５１が、タイムライン列のユーザインターフェース１０に取って代わるであろう。スクリーンショット５１では、情報メッセージ１２Ｂは、繰り返される。しかしながら、所望に応じて、情報メッセージに関するイベントが生じた時間を示すタイムスタンプが、５２におけるように提供されることができる。ユーザに伝達される追加の情報は、任意の数の形態をとることができる。本実施例では、追加の情報は、情報メッセージ１２Ｂに関連付けられた試験デバイス上で実施されている試験を示す、識別子５４を含む。物理的ボタンまたはディスプレイ上にレンダリングされるボタンであり得る、ボタン５６の動作は、コンピューティングデバイスをタイムライン列のユーザインターフェース１０の表示に戻す。スクリーンショットまたはページ５０に図示されるなおもさらなる実施形態では、このページは、その機器に関するプロファイルページ５７へのリンク（例えば、機器名）を含むことができる。このページ５７は、現在のステータス、他の高レベルステータス、および関連情報へのリンクのリアルタイムインジケータとともに、具体的機器部品に対して焦点を当てた表示である。例えば、限定ではないが、追加のリンクは、その具体的機器、最後に点検されたとき、最大負荷容量等のその仕様等に対するユーザ文書へのリンクを含むことができる。別の実施形態では、機器記録画像、名称、および高レベル情報は全て、ディスプレイのメイン画面上に表示され得、タッピングによって、直接、ユーザを画面５７等の画面に導く。
【００４５】
図４は、ユーザが、ユーザインターフェース１０を生成するコンピューティングデバイス１１のプロセッサによって実行されるソフトウェアモジュールによって使用される、パラメータにアクセスすることを可能にする、別の実施形態の例示的メニューを図示する。メニュー６０は、ユーザのアカウント情報と、６２においてログインまたはソフトウェアモジュールをアクティブ化し、情報メッセージを受信するための能力とを含むことができる。「ログイン」は、典型的には、サーバおよび／または試験デバイスのコンピューティングデバイスもしくはコントローラと通信リンクを確立する。入力選択６４は、ユーザが、そのアカウントに関する情報を打ち込むか、または別様にその情報にアクセスすることを可能にする。米国公開特許出願第２０１３／０２１２５１２Ａ１号に説明されるように、バーまたはＱＲコード（登録商標）等の各物理的試験デバイスに関連付けられたＩＤまたは識別子コードは、どの試験デバイスを監視したいかを識別するために、コンピューティングデバイスのユーザによって使用されることができる。図示される実施形態では、これらのＩＤコードは、入力選択６６によってアクセス可能なＱＲコード（登録商標）を備えている。
【００４６】
図４では、「アラート」下にある「開く」選択は、選択されると、図４Ａに図示されるもののような画面をレンダリングする。この画面から、遠隔コンピューティングデバイスユーザは、アラートを設定することができ、アラートは、限定ではないが、電子メールまたはテキストメッセージ等、別の方法によって送信される通信である。このように、ユーザが、そのデスクトップの前に居る場合、および／またはその遠隔コンピューティングデバイス電話に電源を入れていない場合、もしくは遠隔監視アプリケーションを有効にしていない場合、ユーザは、アラートメッセージを受信するであろう。この画面から、遠隔コンピューティングデバイスユーザは、示されない好適なメニュー上で設定を行うと、所望に応じて、アラートをオンまたはオフに容易にトグルすることができる。アラートステータスの変更は、典型的には、アラートが、必要に応じて、他の通信モードを通して送信されるように、試験デバイスのコンピューティングデバイスもしくはコントローラおよび／またはサーバに送信される。
【００４７】
図４Ｂでは、「アラート」下の「送信済み」選択は、一実施形態では、選択されると、図４Ｂに図示されるもののような画面をレンダリングする。この画面は、遠隔コンピューティングデバイスユーザが、一般に、逆発生順において、送信されたアラートを閲覧することを可能にするが、所望に応じて、任意の所望の順序が、要求に応じて、遠隔コンピューティングデバイスユーザによって提供されることができる。
【００４８】
ユーザインターフェース１０の特定の有利な特徴は、ユーザが、ユーザが監視することに関心がある試験デバイスを調節または変更するための能力である。言い換えると、ユーザインターフェース１０は、ユーザがそれに関連する情報メッセージを受信することを所望する試験デバイスを示す。メニュー６０では、ユーザは、メニューアイテム６８の選択によって、機器または情報メッセージを受信する試験デバイスを示すことができる。ボタン６８のアクティブ化は、一実施形態では、図５に図示されるようなメニュー７０をレンダリングするための遠隔コンピューティングデバイス上で実行するソフトウェアモジュールへの入力信号を備えていることができる。メニュー７０は、ユーザが選択した、または監視することを認可される、全試験デバイスのリスト７１（必要に応じて、スクロール可能）を含むことができる。図示される実施形態では、各試験デバイスに対して、関連付けられたボタン７２が、提供され、ボタン７２は、関連付けられた試験デバイスを監視するため、ユーザ所望に応じて、アクティブ化または非アクティブ化され得る。
【００４９】
図４に戻って参照すると、一実施形態では、メニュー６０はまた、選択ボタン６９を含み、ユーザが、ユーザが監視することを所望する試験デバイスのタイプ情報またはアクティビティを識別することを可能にすることができる。入力選択６９のアクティブ化は、図６に図示されるようなメニュー８０をレンダリングすることができる。概して、アクティビティは、例えば、ボタン８２、８４、および８６に関連付けられたアクティビティによって示されるような試験デバイス上で実施されている試験のステータス、またはボタン８３、８５、および８７に関連付けられたアクティビティ等の試験デバイスの構成要素の動作ステータスに関連付けられた情報に基づいて、グループ化されることができる。ボタン８２、８４、および８６の選択は、ユーザが、それぞれ、試験プログラムが停止する場合、保留する場合、または稼働する場合に関連する、ユーザインターフェース上にレンダリングされる情報メッセージを有効または無効にすることを可能にする。同様に、ボタン８３、８５、および８７は、ユーザが、油圧サービスマニホールド「ＨＳＭ」として本明細書に図示される、試験デバイスの物理的構成要素の動作ステータスに関する情報メッセージのレンダリングを有効または無効にすることを可能にする。当業者によって理解されるように、これらは、ほんの数例にすぎず、実施されている試験および／または試験デバイスを構成する種々の物理的構成要素に応じて、変動するであろう。遠隔コンピューティングデバイスユーザが対応する情報メッセージを閲覧することを所望するであろう、試験デバイスに関する情報（メニュー７０から選択されるように）ならびに特定のアクティビティに関する情報メッセージ（メニュー８０から選択されるように）は、試験デバイスの対応するコンピューティングデバイスまたはコントローラのメモリ内に、もしくは前述の米国公開特許出願のシステム内の遠隔コンピューティングデバイスに関しては、そこに接続されるサーバのメモリ内に記憶されることができ、試験デバイスのコンピューティングデバイスまたはコントローラのプロセッサもしくはサーバのプロセッサは、情報メッセージを生成し、遠隔コンピューティングデバイスに送信するために、この記憶された情報にアクセスする。別の実施形態では、遠隔コンピューティングデバイスユーザが対応する情報メッセージを閲覧することを所望するであろう、試験デバイスに関する情報（メニュー７０から選択されるように）ならびに特定のアクティビティに関する情報メッセージ（メニュー８０から選択されるように）は、遠隔コンピューティングデバイスのメモリ内に記憶されることができ、遠隔コンピューティングデバイスのプロセッサは、情報メッセージを遠隔コンピューティングデバイス１１上にレンダリングするために、この記憶された情報にアクセスする。さらに別の実施形態では、遠隔コンピューティングデバイス上への情報メッセージの最終レンダリングは、情報メッセージが、コンピューティングデバイス１１から遠隔のコンピューティングデバイス上で生成されるかどうか、および／または遠隔コンピューティングデバイス１１によって受信される場合、情報メッセージが、遠隔コンピューティングデバイス１１のプロセッサによって、ユーザインターフェース１０上にレンダリングされるかどうかの組み合わせに起因し得る。
【００５０】
図７を参照すると、前述のように、情報メッセージは、例えば、関連付けられた試験デバイスに関連する個人の名前を含むことができる。図４のメニュー６０に図示されないが、所望に応じて、フィルタリングボタンが、試験デバイスに関連付けられた個人に基づいて、情報メッセージを試験デバイスから受信し得ることをユーザに識別するためにメニュー６０内に提供されことができることに留意されたい。故に、所望に応じて、ユーザは、種々の試験デバイスに関連付けられた１人またはそれを上回る特定の個人に関連付けられた試験デバイスに関する情報メッセージを受信することを所望することを示すことができる。これは、特に、オペレータ、エンジニア、または実験室マネージャとして割り当てられたもののアクティビティおよび機器のみを閲覧するために使用するユーザのために有利であり、その場合、マネージャは、例えば、特定の機器、オペレータ、および／またはエンジニアをリスト化し得る。
【００５１】
図８−１１を参照すると、ユーザインターフェース１０はまた、種々の実施形態では、コンピューティングデバイスのユーザが、関心がある、または監視することが認可される、試験デバイスの各々をリスト化する、概要ディスプレイを含むことができる。図８および１０を参照すると、試験デバイスは、必要に応じて、ユーザ調節可能識別子１００および１０２を用いて、例えば、実験室等の試験場所に基づいて、一緒にグループ化されることができる。図示される実施例では、２つの試験デバイスが、場所識別子１００に関連付けられる一方、４つの試験デバイスが、場所識別子１０２に関連付けられる。
【００５２】
各リスト化された試験デバイスは、実際は、ユーザ選択可能ボタンであり、ユーザによるアクティブ化に応じて、ユーザは、１０４において、図９に図示されるような試験デバイスに関する追加の情報を得るであろう。概して、詳述される情報は、試験デバイスの現在の稼働ステータス、該当する場合、実施されている試験、試験デバイスの実験室内の場所、ならびに概して１０８に示される動作識別子によって識別される、試験デバイスのパラメータを含む、試験デバイスまたは試験デバイス上で実施されている試験に関連する関連付けられた個人を含むことができる。動作識別子は、色分けされ、試験デバイスの特定のパラメータが有効にされているか、無効にされているかを示すことができる。同様に、試験デバイス名を有し、ユーザ選択可能ボタンを備えている（例えば、１０６において）識別子の各々も、色分けされ、試験デバイスの動作ステータスを示すことができる。例えば、試験デバイスが、試験を稼働していない場合、試験デバイスのためのユーザ選択可能ボタンは、赤色であり得る一方、試験デバイスが、試験を動作させている場合、ユーザ選択可能ボタンは、緑色として識別されることができる。
【００５３】
特に有利かつ有益な情報メッセージの１つは、図１２に図示される。具体的には、所望に応じて、情報メッセージは、試験デバイス、その構成要素、および／または試験中の試験試料の記録画像を提供するように、試験デバイスに近接して位置するカメラによって撮影される写真または記録画像を含むことができる。実施例では、提供される情報メッセージ１２０Ａは、関連付けられた写真１２０Ｂとともに、完了途中にある、試験試料に対して行われる試験シーケンスの第１の部分を示す（図１２の例証では、未完了である）。同様に、情報メッセージ１２２Ａは、完了途中にある、試験シーケンスの別の部分と、試験中の試験試料１２４の写真１２２Ｂとを示す、別の情報メッセージである。情報メッセージ１２６Ａは、関連付けられた写真１２６Ｂとともに、試験が停止していることを示す。情報メッセージ１２６Ａでは、試験試料１２４が故障または破損し、それによって、試験を停止している。
【００５４】
図１２Ａは、情報メッセージ１２０Ａ、１２２Ａ、および１２６Ａが関わるシステムの一実施形態を図式的に図示する。図１２Ａでは、試験デバイスは、１３０に示される一方、カメラ１３２等の画像捕捉デバイスは、試験デバイス、その構成要素、および／または試験中の試験試料の画像を撮影するように配列される。カメラ１３２は、試験デバイス１３０に関連付けられたコントローラ１３４または他のコンピューティングデバイスに動作可能に接続される。コンピューティングデバイスまたはコントローラ１３４は、クラウドベースのサーバプラットフォーム１３６と通信することができ、これは、順に、モバイルまたは別様に遠隔のコンピューティングデバイス１３８と通信し、それに応じて、情報メッセージ１２０Ａ、１２２Ａ、および１２６Ａは、レンダリングされる。このアーキテクチャまたはシステム構成は、米国公開特許出願第２０１３／０２１２５１２Ａ１号に説明されるものに類似する。しかしながら、代替実施形態では、遠隔コンピューティングデバイス１３８は、無線および／または有線直接通信リンクのいずれかを通して、すなわち、米国公開特許出願第２０１３／０２１２５１２Ａ１号に説明されるサーバプラットフォームを伴わずに、または少なくともその中に説明される全機能性を提供せずに、直接、試験デバイス１３０のコンピューティングデバイス１３４に動作可能に接続されることができることに留意されたい。
【００５５】
情報メッセージ１２０Ａ、１２２Ａ、および１２６Ａは、情報メッセージのレンダリングとともに、画像をレンダリングするように構成されることができることに留意されたい。代替では、ユーザアクティブ化ボタンまたはＵＲＬ「ユニバーサルリソースロケータ」リンクが、情報メッセージ内にレンダリングされ、ユーザによって選択されることができ、選択に応じて、遠隔コンピューティングデバイスは、次いで、クラウドベースのサーバ１３６におけるようなコンピューティングデバイスまたは試験デバイス１３０に関連付けられたコンピューティングデバイス１３４から遠隔の記憶デバイスから、関連付けられた画像にアクセスし、それをダウンロードし、要求される画像を得る。
【００５６】
静止画像を情報メッセージ内に提供するのと同様の様式において、図１３は、情報メッセージが、関連付けられた情報メッセージに関するビデオシーケンスへのユーザ選択可能ボタンまたはリンクを含むことができることを図示する。図１３では、情報メッセージ１２０Ａ、１２２Ａ、および１２６Ａに関して説明されるものと同一イベントが、図示される。しかしながら、この形態の情報メッセージでは、ユーザ選択可能画像１４０Ｂ、１４２Ｂ、および１４６Ｂは、情報メッセージの生成またはレンダリングを生じさせたイベントに関するビデオシーケンスに関連付けられる。ビデオシーケンス１４０Ｂおよび１４２Ｂは、例えば、試験シーケンスの示される部分の完了から数秒前を示すことができる。一実施形態では、これは、５、１０、またはＸ秒のビデを保持し得る、循環記憶バッファの中に継続的に記録することによって達成される。イベントが生じると、循環バッファからのビデオは、個々のクリップとして記憶される。このように、前の１０秒の映像長が、常時、利用可能であり、したがって、イベントが生じると、イベントまでの１０秒が、利用可能であり、記憶されることができる。イベント後のさまざまな時間量もまた、イベントの「前」および「後」を捕捉するために記録されることができる。情報メッセージ１２６Ａは、試験デバイスの停止に関し、ユーザ選択可能画像１４６Ｂの選択は、ビデオシーケンスに関連付けられた生成またはレンダリングを生じさせ、これは、試験停止および／または試料欠陥を示すことを含み得る。
【００５７】
図１２Ａに図示されるものと同一構成要素が、情報メッセージのためのビデオシーケンスを捕捉および記憶するために使用されることができる。一実施形態では、全ビデオは、試験デバイス１３０のコンピューティングデバイス、サーバ１３６、および／またはさらに遠隔コンピューティングデバイス１３８に記憶され、必要に応じて、アクセスされ、情報メッセージをレンダリングすることができる。別の実施形態では、ビデオが、生成され、遠隔コンピューティングデバイスに送信されるか、またはその上にレンダリングされる、情報メッセージとの関連付けのために保存または別様にアクセス可能にされた関連ビデオシーケンス部分とともに、前述のデバイスのいずれかの循環記憶バッファ内に記憶されることができる。追加の実施形態では、１つの大きなビデオファイルが、捕捉されることができ、すなわち、大きなパーティションとなる。このファイル中へのインデックスは、イベント時に記憶され、イベント前後の可変時間が遠隔で閲覧されることを可能にすることができる。
【００５８】
図１４の図示される実施例では、試験デバイスＨＦ  ＭＡＳＴ  ＃２は、２つの異なる遠隔コンピューティングデバイスを使用して、２人の異なるユーザによって遠隔で監視されている。本実施例では、情報メッセージ１５０の受信に応じて、遠隔監視するユーザＡｎｄｒｅｗ  Ｆｒｅｎｚが、情報メッセージ１５０に関連付けられるべき注釈を打ち込んだ。彼の注釈は、１５２に示される。任意の注釈の打ち込みに応じて、情報メッセージ１５０は、注釈が、現時点において、情報メッセージ１５０に関連付けられていることを示すアイコン１５４を含むように拡張されることができる。本実施例では、オペレータＮｉｃｈｏｌａｓは、おそらく、その遠隔コンピューティングデバイス上の情報メッセージ１５０が、現時点において、グラフィカルアイコン１５４を含んでいることに気付いているであろう。情報メッセージ１５０の選択に応じて、彼は、１５６に示されるように、Ａｎｄｒｅｗ  Ｆｒｅｎｚの注釈１５２に応答することができる。任意の数の注釈が、試験デバイスＨＦ  ＭＡＳＴ  ＃２を監視する任意の遠隔コンピューティングデバイスユーザによって打ち込まれることができる。本実施例では、注釈は、情報メッセージ１５０を選択することによって打ち込まれ、それに応じて、遠隔コンピューティングデバイスは、そのようなスクリーンショット１５８に図示されるような試験デバイスの詳細を生成または表示する。典型的には、注釈１５２、１５６は、試験デバイスのコンピューティングデバイスまたはコントローラ、および／または前述の米国公開特許出願のシステムに説明されるように、それと通信するサーバのいずれか上に、情報メッセージ（また、記憶される）とともに記憶される。
【００５９】
図１５は、特定の試験デバイスＨＦ  ＭＡＳＴ  ＃２に関する、本明細書における別の形態の情報メッセージ１７０を図示する。一実施形態では、遠隔コンピューティングユーザは、例えば、図８−１１の概要表示ディスプレイにおいて利用可能なような関連付けられた機器にアクセスすることができ、そこで、遠隔コンピューティングデバイスユーザは、特定の試験デバイスを選択し、それに関連する注釈をポストすることができる。注釈は、概要メニューからの試験デバイスの選択に応じた任意の他のユーザ、または情報メッセージに対して試験デバイスを監視する任意の遠隔コンピューティングデバイスユーザが、次いで、ポストされた注釈を閲覧するように、特定の試験デバイスに関連付けられたままであることができる。典型的には、情報メッセージ注釈１７０は、試験デバイスのコンピューティングデバイスまたはコントローラ、および／または前述の米国公開特許出願のシステムに説明されるようなそれと通信するサーバのいずれか上に、対応する試験デバイスと関連して記憶される。図１６は、任意の遠隔コンピューティングデバイスユーザにレンダリングされる、別の形態の情報メッセージ１８０を図示する。本実施例では、情報メッセージ１８０は、直接、任意の特定の試験デバイスに関連せず、むしろ、一般に、試験実験室に関連する。情報メッセージは、再び、試験デバイスのコンピューティングデバイスまたはコントローラ、および／または前述の米国公開特許出願のシステムに説明されるようなそれと通信するサーバのいずれか上に記憶される。
【００６０】
この時点において、図１９に図示されるように、情報メッセージのレンダリングは、一般に、逆発生順で表示される（すなわち、最新のものが最初に来る）ことに留意されたい。しかしながら、他の実施形態では、「疑似発生」順等、それらを異なる順序でレンダリングすることが有利であり得、いくつかは、発生順（逆発生順）でレンダリングされ、その他は、例えば、優先される。例えば、ある優先順位指示に基づいて、遠隔コンピューティングデバイスは、優先順位に基づいて、情報メッセージをレンダリングし得る。優先順位指示は、情報メッセージ自体に関連付けられることができる（そのように明示的にレンダリングされるか、または情報メッセージに関連付けられることができるが、指示は、必ずしも、レンダリングされないかのいずれか）。優先順位の指示は、試験デバイスに割り当てられることができ、すなわち、試験デバイスのオペレータによって、試験プロシージャにおいて情報メッセージ要素に遭遇することによって（以下に論じられる）、情報メッセージの送信者によってのいずれかにおいて、それをそのように能動的にマーキングすることによって行われる。優先順位はまた、送信者の名前、会社における位置、または試験機械もしくは行われる試験に対する関係にも基づき得る。この優先順位は、試験デバイスのコンピューティングデバイスまたはコントローラ、サーバプラットフォーム、および／または遠隔コンピューティングデバイス上で生じ得る、情報メッセージを処理することによって、決定されることができる。情報メッセージの優先順位は、前述のいずれかの組み合わせによっても同様に決定されることができる。
【００６１】
優先順位情報メッセージは、限定ではないが、情報メッセージの送信者、遠隔コンピューティングデバイスユーザによって設定されるように、および／または遠隔コンピューティングデバイスユーザによって肯定応答または閲覧されるまで、設定された期間に対して、ディスプレイ上に、または別様に、逆発生順の上部近傍に、第１の情報メッセージとして表示されたままであることができる。
【００６２】
情報メッセージ１２Ａ、１２Ｃ等の前述の情報メッセージのうちのいくつかは、例えば、試験デバイスが停止しているとき、または始動されるときの試験デバイスの動作ステータスに基づく。図２に関して論じられるように、遠隔コンピューティングデバイスのユーザは、行われている試験に関して周期的更新を所望することを示すことができる。遠隔コンピューティングデバイスは、試験デバイス名または他の識別子、更新が提供されるべき頻度、および情報メッセージ内に含まれる情報のコンテンツ等、周期的更新に関するパラメータを入力としてとり、その情報を試験デバイスのシステムコントローラまたはそこに接続される他のコンピューティングデバイス等の試験デバイスに返信し、それによって、試験デバイス上で稼働されている試験プログラムが選択される期間の終了に達すると、情報メッセージが、次いで、生成され、遠隔コンピューティングデバイスに伝送される。情報メッセージは、常時、試験デバイスに関連付けられたコントローラまたはコンピューティングデバイスによって生成される必要はないことに留意されたい。
【００６３】
例えば、米国公開特許出願第２０１３／０２１２５１２Ａ１号のシステムアーキテクチャでは、情報メッセージを生成するために必要とされる関連情報が、サーバまたはさらに遠隔コンピューティングデバイスに既知である場合、これらのコンピューティングデバイスもまた、遠隔コンピューティングデバイス上にレンダリングされるべき情報メッセージを生成することができる。
【００６４】
さらなる実施形態では、情報メッセージは、試験プログラムまたはプロシージャ開発の間に定義されることができる。例えば、参照することによって、本明細書に全体として組み込まれる、米国公開特許出願第２０１０／００７７２６０Ａ１号は、グラフィカルユーザインターフェースを使用して、試験プロシージャ要素を配列し、図式的に接続し、接続されるグラフィカルアイコンによって表される試験プロシージャを作成する、試験プロシージャを作成する方法およびシステムを説明している。
【００６５】
概略すると、試験プロシージャは、開始および終了と、試験デバイスの制御可能要素を制御するための開始から終了までの連続フローとを伴う、アクションのフロー図であると見なされ得る。試験プロシージャは、同時にまたは条件もしくはループに基づいて動作するが、最終的には、初期アクションから最終アクションまで進行する、平行な枝を組み込むことができる。試験プロシージャの構築ブロックは、イベント、アクション条件、およびステップを備えている。イベントは、試験プロシージャの一部を始動または開始することができる。アクションは、試験プロシージャ内で行われる、アクティビティである。条件は、条件論理と相互作用し、それによって、ルールは、その条件が真であるかまたは別様に満たされる場合のみ関連付けられたアクションが行われる条件を確立し得る。試験プロシージャ内のステップに対して単一または複数の条件が存在し得る。ステップは、試験プロシージャを構成し、各ステップは、任意の数のアクションおよび関連付けられた条件を含むことができる。試験プロシージャ作成環境では、信号または変数が、監視され、定義された限界と比較されることができる。アラートが、有効にされることができ、次いで、試験中の発生に応じて、ユーザは、監視される信号または変数が、設定された限度を超えたことの指示を受信する。
【００６６】
図１７は、試験の間、試験デバイスを監視する、任意の遠隔コンピューティングデバイスユーザへの情報メッセージの生成を表す、グラフィカルアイコン２００を図示する。米国公開特許出願第２０１０／００７７２６０Ａ１号に説明される他のグラフィカルアイコンと同様に、試験プロシージャワークフロー内のグラフィカルアイコンまたはボックス２００が、例えば、マウス等の入力ポインタを使用して、ボックス２００を試験プロシージャの略図内の位置にドラッグして、任意の場所に挿入されることができる。試験プロシージャ設計者は、次いで、レンダリングされるべき情報メッセージのコンテンツ、典型的には、図１に図示されるアクション部分１６を示すことができる。図示される実施形態では、グラフィカルユーザインターフェース２０２は、選択に応じてアクセス可能なメニュー２０４、または試験プロシージャ設計者が、生成されるべき情報メッセージを定義することを所望する他の指示を含む。メニュー２０４は、試験プロシージャ設計者が、２０６において、グラフィカルユーザインターフェース２０２上に表示される情報メッセージジェネレータ名を打ち込むことを可能にする。選択的に、試験プロシージャ設計者は、２０８において、情報メッセージジェネレータを有効または無効にすることができる。説明または注釈フィールドが、２１０に提供される。情報メッセージのコンテンツは、２１２において定義されることができ、これは、所望に応じて、試験中に完了したサイクルの数等の変数にさらに基づき得る。図示される実施形態では、２１０におけるメッセージは、試験デバイスが「２５サイクル完了」したことを示す、固定または静的説明である。所望に応じて、情報メッセージジェネレータモジュールは、試験の間のパラメータまたは変数値を組み込むことができ（例証的実施形態には図示せず）、試験デバイスが試験プロシージャの動作の間に情報ジェネレータボックスに到達すると、パラメータまたは変数の値が、得られ、情報メッセージ内に含まれ得る。２１２に示されるように、アラートもまた、情報メッセージジェネレータ２００に関連付けられることができる。アラートは、有効または無効にされることができる。２１４における遠隔コンピューティングデバイスのユーザインターフェース１０のための例示的スクリーンショットを参照すると、情報メッセージが、アラート有効にされる場合、これは、図１の情報メッセージ１２Ａに図示されるベルを備えているグラフィカルアイコンのレンダリングによって、本明細書では表される。情報メッセージは、アラートと同一ではなく、むしろ、本明細書におけるアラートは、試験デバイスの動作に関与する個人への通信であることに留意されたい。しかしながら、本明細書におけるアラートは、一例として、電子メールまたはテキストメッセージ等によって、他の通信方法を介して送信される。情報メッセージ１２Ａ上では、ベルのグラフィカルアイコンは、遠隔コンピューティングデバイスユーザに、アラートが送信されたことを示す。
【００６７】
例示的動作モードでは、試験プロシージャが、実行されており、各ステップが試験プロシージャ設計のルールに従って稼働されると、変数に基づく場合、試験プロシージャがオブジェクト２００に達する度に情報メッセージが、構築され、直接遠隔コンピューティングデバイスに、またはサーバプラットフォーム「例えば、インターネットクラウド」を介して、関与遠隔ユーザに送信され、次いで、ユーザは、そのディスプレイ上で情報メッセージを閲覧するであろう。アラートボタン２１２がチェックされている場合、メッセージが、加えて、試験プロシージャが初期化されるときに定義されるような前もって定義されたユーザアラート設定に基づいて、電子メール、テキスト、または他のプッシュ通知技術を介して、ユーザに送信される。これは、特に、試験のステータスに関する周期的または重要な更新を受信するために有用である。例えば、試験が、段階１（ウォームアップサイクル）から段階２（高サイクル）に切り替わる場合、情報メッセージボックスが、試験プロシージャのグラフィカル表現内に配置され、例えば、「段階１ウォームアップを完了し、段階２（高サイクル）に移行」を示すことができる。
【００６８】
試験デバイスおよびその構成要素は、任意の機械のように、ある動作パラメータを有し、その中で、典型的には、動作させられる。それらのパラメータのうちの１つ以上のもの以外の動作は、デバイス自体が故障状態に近づきつつあり得ることの指示であり得る。例えば、試験デバイスおよびその構成要素の健全監視が、デバイスまたは構成要素の故障が起こり得ること、またはさらに差し迫っていることを、多くの状況において決定することができる。アラートを使用して、本明細書に論じられるように、ユーザは、起こり得る潜在的または差し迫った試験デバイス故障を通知され得る。あらゆるアラート同様に、個々のユーザは、その独自のアラート設定を決定および定義し得る。健全情報は、一実施形態では、機器プロファイルページ内に表示される。当技術分野において公知のように、構成要素は、限定ではなく、一例のみとして、油圧動力ユニット（ＨＰＵ）または電源等の１つ以上の試験デバイスのための動力供給源を含み得る。監視され得るパラメータは、圧力、動作温度、最終点検以降の時間数等を含む。
【００６９】
図１８を参照すると、試験デバイス上で行われている試験プロシージャに関する追加の情報もまた、一実施形態では、遠隔コンピュータユーザによって監視するために利用可能である。この情報は、試験プロシージャまたは試験プロシージャにおいて試験または提示されている試験デバイスもしくは試験変数に関する動作情報を含むことができる。加えて、試験ステップは、遠隔で表示され、試験が現在位置するステップを示すようにハイライトされることができる。これは、遠隔ユーザが、試験が現在位置する試験プロシージャ内の場所を正確に特定する能力を可能にする。
【００７０】
好適なコンピューティング環境は、前述の米国公開特許出願に説明されている。概略すると、本明細書における説明および図は、少なくとも部分的に、コンピュータによって実行される、プログラムモジュール等のコンピュータ実行可能命令の一般的コンテキストにおいて実装されることができる。概して、プログラムモジュールは、特定のタスクを行うか、または特定の抽象データタイプを実装する、ルーチンプログラム、オブジェクト、構成要素、データ構造等を含む。当業者は、説明および図をコンピュータ実行可能命令に実装することができる。さらに、当業者は、本発明の実施形態は、マルチプロセッサシステム、ネットワーク化されたパーソナルコンピュータ、ミニコンピュータ、メインフレームコンピュータ等を含む、他のコンピュータシステム構成で実践され得ることを理解するであろう。本発明の実施形態はまた、分散型コンピューティング環境内で実践され得、タスクは、通信ネットワークを通してリンクされる、遠隔処理デバイスによって行われる。分散型コンピュータ環境では、プログラムモジュールは、ローカルおよび遠隔メモリ記憶デバイスの両方内に位置し得る。
【００７１】
コンピュータは、中央処理ユニット（ＣＰＵ）、メモリ、およびメモリを含む種々のシステム構成要素をＣＰＵに連結する、システムバスを有する、従来のパーソナル、モバイル、タブレット、スマートフォン等を備えていることができる。システムバスは、種々のバスアーキテクチャのいずれかを使用する、メモリバスまたはメモリコントローラ、周辺バス、およびローカルバスを含む、いくつかのタイプのバス構造のうちのいずれかであり得る。メモリは、非一過性読取専用メモリ（ＲＯＭ）およびランダムアクセスメモリ（ＲＡＭ）を含む。スタートアップ等の間、コンピュータ内の要素間で情報を伝達するのに有用である、基本ルーチンを含む基本入力／出力（ＢＩＯＳ）が、ＲＯＭ内に記憶される。ハードディスク、光ディスクドライブ、ＲＯＭ、ＲＡＭ、フラッシュメモリカード、デジタルビデオディスク等の非一過性コンピュータ読み取り可能な記憶デバイスが、システムバスに連結され、プログラムおよびデータの記憶のために使用される。一般に、プログラムは、付随のデータの有無にかかわらず、記憶デバイスのうちの少なくとも１つからメモリの中にロードされる。
【００７２】
キーボード、ポインティングデバイス（マウス）、タッチセンサ式画面等の入力デバイスは、ユーザが、コマンドをコンピュータに提供することを可能にする。モニタまたはディスプレイもしくは他のタイプの出力デバイスがさらに、好適なインターフェースを介して、システムバスに接続され、フィードバックをユーザに提供する。通信は、コンピュータによって実行されるプログラムモジュールに基づいて、コンピュータをネットワークおよび他のコンピューティングデバイスに連結する好適なインターフェースを通して提供される。
【００７３】
本開示の実施形態が実践され得る、プラットフォームが、図２０−３３に示される。試験機械が、消費者製品、電子機器材料、医療、および他のデバイスの性能を試験するために使用される。図２０は、試験デバイス１３０のフレーム１１０４に固定される材料試料１１０２のパラメータまたは性能を測定するために使用される、試験デバイスまたはデバイス１３０を図示する。示される試験デバイス１３０は、負荷を試料１１０２に与えるように励起される、アクチュエータ１１０６を含む。示される実施形態では、負荷は、試験デバイスのフレーム１１０４に連結される可動クロスヘッド１１０８を通して、試験試料に与えられる。入力される力は、アクチュエータ１１０６の負荷経路内に位置付けられるロードセル１１１０によって測定される。試験デバイス１３０は、種々のセンサおよび変換器デバイス１１１２を含み、負荷入力に対する応答を測定する。図示される実施形態では、歪みゲージ等のセンサ１１１２が、試料に連結され、歪みを測定する。示される試験デバイスはまた、線形電圧変換器１１１４を含み、入力変位を測定する。
【００７４】
示されるように、アクチュエータ１１０６の動作は、システムコントローラ１３４からの入力を介したサーボコントローラ１１１６を介して、制御される。示されるサーボコントローラ１１１６およびシステムコントローラ１３４は、種々のハードウェアおよびソフトウェア構成要素を含み、試験デバイス１３０の制御機能を実装する。センサまたはロードセル１１１０、１１１２からのフィードバックは、システムコントローラ１３４に提供される。示されるように、システムコントローラ１３４は、コンピュータシステム１１２０に連結され、すなわち、コントローラ１３４は、１つ以上のハードウェア構成要素を含む、ＰＣコンピューティングデバイスに連結される。試験デバイス１３０とコンピュータシステム１１２０またはコントローラ１３４の接続は、試験デバイス１３０のための制御パラメータを定義および設定するためのプログラムインターフェースを提供する。示されるように、コンピューティングデバイスまたはＰＣ１１２０もしくはコントローラ１３４は、バス構造１１２８を通して処理ユニット１１２６に動作可能に連結される、不揮発性システムメモリ１１２２および種々の非取り外し可能なデータ記憶デバイス１１２４ならびに取り外し可能なデータ記憶媒体１１２５を含む。例証的記憶媒体は、固体メモリデバイス、ハードディスクドライブ、および他のハードウェアデバイスを含む。
【００７５】
オペレーティングシステムおよび他のアプリケーションモジュールが、システムメモリ１１２２内に記憶される。種々のプログラムモジュールが、不揮発性／非取り外し可能な記憶媒体１１２４上に記憶された。例えば、媒体１１２４上に記憶される種々のプログラムは、試験プラットフォーム１１３０ならびに説明されるようなモバイル試験プラットフォームの種々の機能を実装するように構成されるモバイル試験プラットフォームモジュールまたはツールを含む。追加のデータおよびプログラムが、種々の取り外し可能なおよび／または非取り外し可能な記憶デバイス上に記憶される。ユーザは、入力デバイス１１４０およびディスプレイデバイス１１４２（図式的に示される）を通して、コンピューティングデバイス１１２０またはコントローラ１３４とインターフェースをとり、試験デバイス１３０の動作を制御する。例証的入力デバイスは、キーボード、タッチスクリーン、ポインティングデバイス、マイクロホン、またはマウスのうちの１つ以上のものを含み、図示されるディスプレイデバイス１１４２は、ＬＣＤ画面等のディスプレイ画面上に表示可能なグラフィカルユーザインターフェースを有する、モニタを含む。コンピューティングデバイス１１２０またはコントローラ１３４は、コントローラインターフェース１１４４を通して、試験デバイスのシステムコントローラ１３４とインターフェースをとる。例証として、コントローラインターフェース１１４４は、ＵＳＢポートを通して実装されることができる。コンピュータ１１２０またはコントローラ１３４はまた、ネットワークインターフェースまたはモデム１４６を通して、広域ネットワークまたはワールドワイドウェブ（インターネット）に接続され、インターネットを通して情報にアクセスする。
【００７６】
試験プラットフォームモジュール１１３０は、ユーザが、ディスプレイデバイス１１４２上のグラフィックユーザインターフェースを通して、試験パラメータおよび仕様を入力することを可能にする、アプリケーションプログラムを含む。試験パラメータは、試験試料１１０２に適用される時間、持続時間、および力プロファイルを定義する。異なる負荷または試験プロファイルが、異なる試験基準に応じて、適用されることができる。例えば、試験基準は、規定された持続時間の間の静的負荷に続き、断続循環負荷を規定することができる。入力試験パラメータに基づいて、試験プラットフォームモジュール１１３０は、制御パラメータを生成し、制御パラメータは、システムコントローラ１３４に提供され、制御コマンドをアクチュエータ１１０６または他の試験システム構成要素に提供する。センサ１１１２、ＬＶＤＴ１１１４、またはロードセル１１１０からの出力は、フィードバックをシステムコントローラ１３４またはサーボコントローラ１１１６に提供し、それらは、アクチュエータ１１０６または試験デバイスの閉ループフィードバック制御を提供する。センサ１１１２、ロードセル１１１０、および他のデバイスからの出力もまた、コンピューティングデバイス１１２０またはコントローラ１３４に転送され、分析および精査のために、試験データを記憶するためのデータ記憶媒体のうちの１つ以上のものに記憶される。
【００７７】
示される実施形態では、試験デバイス１３０は、遠隔サーバまたはクラウドコンピューティングプラットフォームを通して実装される遠隔試験プラットフォーム１１５０と通信し、試験デバイス１３０の試験データおよび動作ステータスへの遠隔アクセスを提供する。示される遠隔試験プラットフォーム１１５０は、コンピューティングデバイス１１２０またはコントローラ１３４に類似するコンピューティングデバイス上に実装され、コンピューティングデバイス上で動作可能な遠隔プラットフォームモジュールまたはツール１１５２を含み、試験デバイス１３０のデバイスデータおよび動作ステータスへのアクセスを以下に説明される１つ以上の遠隔コンピューティングデバイスに提供する。
【００７８】
示されるように、遠隔プラットフォーム機能は、コンピューティングデバイス１１２０またはコントローラ１３４および／またはシステムコントローラ１３４上のモバイル試験プラットフォームモジュールおよび動作ツール１１５２を通して実装される。モバイル試験プラットフォームモジュールまたはツール１１５２は、制御ユニット、または図２０に示されるアクチュエータ１１０６、ＬＶＤＴ１１１４、センサ１１１２、およびロードセル１１１０を含む種々のデバイス構成要素からのＩ／Ｏ信号とインターフェースをとり、データを読み出すように構成され、データは、遠隔通信プラットフォーム１１５４を通して遠隔プラットフォーム１１５０に伝送され、試験デバイス１３０および試験デバイス１３０の種々のタイプのデータへのモバイルまたは遠隔アクセスを提供する。示されるように、センサ、ロードセル、アクチュエータ、およびセンサからのデータを含む、試験データは、限定ではないが、それらの各々がコンピューティングデバイス１１２０またはコントローラ１３４のものに類似する機能要素を有し得る、モバイルまたは携帯電話１５６、タブレット１５７、ラップトップまたはポータブルコンピュータ１５８、および遠隔デスクトップコンピュータ（図２０には図示せず）、遠隔またはモバイルコンピューティングデバイスによるアクセスのために、システムコントローラ１３４から遠隔試験プラットフォーム１１５０に提供される。図示される実施形態では、遠隔試験プラットフォーム１１５０は、ファイアウォール１１６４の外側にある。
【００７９】
データは、通信リンクを経由したコントローラ（図示せず）またはコンピュータデバイスの通信インターフェースもしくはポートを通して、遠隔通信プラットフォーム１１５４を介して、遠隔試験プラットフォーム１１５０に転送される。例証として、通信リンクは、ケーブルまたは無線通信リンクもしくはケーブルおよび無線通信リンクの組み合わせである。大量の試験データおよび／またはステータスイベントが、例えば、ＣｏｍｅｔアルゴリズムまたはＷｅｂｓｏｃｋｅｔプロトコル等のリアルタイムストリーミングプロトコルもしくはロングポーリングアルゴリズムを使用して伝送され、モバイルまたは遠隔コンピューティングデバイスからのデータ要求に応答し、試験データを遠隔もしくはモバイルデバイスに提供することができる。示されるように、試験データ等の試験デバイス１３０からのデータは、少なくとも一時的に、または別様に、図２０に示されるようなモバイルまたは遠隔デバイスのうちの１つ以上のものに伝送され得る様式において、遠隔試験プラットフォーム１１５０のデータキャッシュ１１６０またはデータ記憶１１６２に記憶される。言い換えると、試験データおよび／またはステータスイベント等の試験デバイス１３０からのデータ（例えば、試験デバイス１３０は、試験を行っている、または停止しているかどうかにかかわらず）は、遠隔試験プラットフォーム１１５０を通して、モバイルまたは遠隔デバイス１５６のうちの１つ以上のものに伝送され、リアルタイムでそのユーザにレンダリングされることができる。本明細書で使用される場合、「リアルタイム」とは、全体的システムの構成要素の処理限界およびデータを正確に測定または別様に確認するために要求される時間を前提として、意図的遅延を伴わずに、データが、レンダリングされることを意味する。示される実施形態では、遠隔通信プラットフォーム１１５４は、コントローラ１３４の一部であるが、当業者によって理解されるであろうように、別個のユニットとして、またはコンピューティングデバイス１１２０もしくはコントローラ１３４を通しても実装され得る。さらに、本明細書における種々のモジュール、インターフェース、構成要素等の全ての描写、配列、ならびに／もしくは説明は、そのような要素の目的または役割を理解する目的のために行われるものであって、限界として見なされるべきではなく、むしろ、そのようなモジュール、インターフェース、構成要素等は、所望に応じて、一緒に組み合わせられるか、または分離されることができることを理解されたい。例証として、モバイル試験プラットフォームモジュール１１５２は、アラートの設定、保守機能の実装、ステータス更新、および試験データへの遠隔アクセス等、種々の機能を実装する。前述のように、試験データは、データストリームとして、遠隔コンピューティングデバイスに伝送され、リアルタイムプレーヤまたはデコーダによってデコードされることができる。デコードされたデータは、遠隔コンピューティングデバイスのＧＵＩディスプレイ１８２上に表示される。一実施形態では、モバイル試験プラットフォームモジュール１１５２は、遠隔試験プラットフォーム１１５０へ、続いて、モバイルまたは遠隔デバイスへの伝送のために、要約アルゴリズムを含み、ｉ／ｏデータからの、または別様に試験デバイス１３０に関する要約データを生成する。例えば、モバイル試験プラットフォームモジュール１１５２は、コンピュータベースのプロシージャを含み、試験デバイス１３０上で生じる問題に関連する、システムコントローラ１３４および／またはコンピューティングデバイス１１２０もしくはコントローラ１３４内に記憶されたあるデータを収集し、そのようなデータを要約する、および／またはそのようなデータをパッケージ化することができ、これは、次いで、問題の診断および／または点検のために、遠隔技術サポート人員に提供される。
【００８０】
さらに別の実施形態では、モバイル試験プラットフォームモジュール１１５２は、利用ツール３６６（図３３）として本明細書では図示される、コンピュータベースのプロシージャを含むことができ、コンピュータベースのプロシージャは、限定ではないが、試験デバイス１３０が動作していた時間量、アクチュエータ１１０６全体のサイクル数等の試験デバイス１３０の利用に関連する情報、および／または、例えば、試験を行っていた、および／または、デバイスが、あるレベルを上回って動作していた時間量等の試験デバイス１３０の最大能力を参照して測定されるような試験デバイスが稼働されていた性能または利用のレベルに関連する、情報を収集する（例えば、アクチュエータの全負荷能力に基づいて（アクチュエータが全負荷の２５％以下を適用して動作させられる全体的時間、アクチュエータが全負荷の２６％〜５０％を適用して動作させられる全体的時間、アクチュエータが全負荷の５０％以上を適用して動作させられる全体的時間等）；アクチュエータの循環率に基づいて（アクチュエータが最大率の１０％未満で循環して動作させられる全体的時間、アクチュエータが最大率の１１％〜７５％の率で循環して動作させられる全体的時間、アクチュエータが最大率の７６％以上を循環して動作させられる全体的時間等）；および／または、試験デバイス１３０を動作させるために必要とされる油圧動力のレベルに基づいて（試験デバイス１３０に動力供給する油圧動力供給源ユニット（図示せず）の全負荷能力の１０％以下を要求して動作させられる全体的時間、油圧動力供給源ユニットの全負荷能力の１１％〜２５％を要求して動作させられる全体的時間、または油圧動力供給源ユニットの全負荷能力の２６％を上回って要求して動作させられる全体的時間等；引用されるものは、例であり、各可能なパラメータの完全リストであることを意図するものではなく、むしろ、単なる実施例にすぎない）。
【００８１】
この時点では、試験デバイス１３０の利用の前述の実施例はまた、少なくとも部分的に、ユーザによって支払われるべき価格を確認するための基礎としての役割も果たし得ることに留意されたい。例えば、利用または利用を示す他のパラメータもしくは評価尺度の引用される例のいずれかまたは全ては、関連付けられたコストを有し得、例えば、利用の各パーセンテージまたはパーセンテージの範囲が、関連付けられたコストを有し、試験デバイス１３０に課される需要が高いほど、対応するより高いコストを有する。次いで、例えば、任意の所望の期間に対して、試験デバイス１３０または油圧動力供給源ユニット等の他の関連付けられた機器を使用するためのユーザに対する総コストが、利用の各個々の時間に対するコストを一緒に加算することによって、計算されることができ、請求書等が、次いで、生成され、機器の所有者に対して報告されることができる。
【００８２】
なおもさらなる実施形態では、利用の前述の評価尺度または他の評価尺度のいずれかもしくは全てが、保守ツール３６０によって、点検または保守が試験デバイス１３０のために要求されるときを確認するために使用されることができる。例えば、利用または利用を示す他のパラメータもしくは評価尺度の引用された例のいずれかまたは全ては、関連付けられた摩耗または損傷単位を有し得、例えば、利用の各パーセンテージまたはパーセンテージの範囲は、関連付けられた摩耗または損傷単位を有し、試験デバイス１３０に課される需要が高いほど、対応するより高い摩耗または損傷単位を有する。次いで、保守は、ある量の摩耗または損傷単位が得られたとき、または利用の評価尺度に関する他の閾値を超えたときに基づくことができる。スケジュールに基づいて、または要求に基づいて、遠隔試験プラットフォーム１１５０と通信する遠隔コンピュータユーザへの配信のために遠隔試験プラットフォーム１１５０と通信する、各試験機械１３０上のモバイル試験プラットフォームモジュール１１５２の能力は、特に、有用、有利、および／または効率的である。所望に応じて、利用を示すデータおよび／または摩耗もしくは損傷単位を示すデータとともに、限定ではないが、年式、モデル、および付属品等、試験ステーション、試験デバイス、または関連機器に関してすでに既知の情報が、技術サポートツール３６２および／または製品／付属品サポートツール３６４（図３３）によって使用され、アップグレードするためのコストの見積または該機器の価値の見積を生成することができ、これは、直接またはプラットフォーム１１５０を介して間接的に、試験デバイスユーザおよび／または１つ以上の遠隔もしくはモバイルコンピューティングデバイスに提供されることができる。
【００８３】
ユーザは、タッチスクリーン入力デバイスまたはキーボード等の種々の入力デバイスを通して、遠隔コンピューティングデバイスとインターフェースをとり、試験データおよびステータス情報に遠隔でアクセスすることができる。したがって、説明されるように、モバイル試験プラットフォームは、ユーザに、試験デバイスから離れているか、またはそこから遠隔にある間、試験動作のステータスへの遠隔／リアルタイムアクセスを提供する。一用途では、デバイスは、インターネットＵＲＬアドレスを通して、遠隔試験プラットフォーム１１５０内のデータにリンクする。ＵＲＬアドレスは、遠隔試験プラットフォーム１１５０のアドレス場所と、ユーザおよび特定の試験デバイスを識別するアドレス情報とを含む。したがって、遠隔試験プラットフォーム１１５０は、ＵＲＬアドレスを処理し、ユーザの試験デバイスに対する特定の試験データまたは試験情報の位置を特定し、伝送する。
【００８４】
モバイルまたは遠隔コンピューティングデバイスは、１つ以上のモバイルアプリケーションツール１１５５を使用して、遠隔試験プラットフォーム１１５０にアクセスする。例証として、モバイルアプリケーションツール１１５５は、ユーザの試験ステーションまたはデバイス１３０とインターフェースをとるためのＵＲＬまたはユーザもしくはデバイス識別を入力するための命令およびコードを含む。モバイルアプリケーションツール１１５５はまた、データストリームからの試験データを処理し、グラフィカルユーザインターフェースディスプレイを携帯電話１５６、タブレットコンピューティングデバイス１５７、ポータブルコンピューティングデバイス１５８、または図２０に示されない他の遠隔コンピューティングデバイス上に生成するための命令を含む。モバイルアプリケーションツール１１５５は、遠隔試験プラットフォーム１１５０からダウンロードされ、遠隔コンピューティングデバイス内にインストールされることができる。試験プラットフォームは、異なるデバイスのための異なるデータタイプ、オブジェクト、およびＧＵＩディスプレイを定義する。携帯電話、タブレット、または他のコンピューティングデバイスは、オブジェクトおよびコードを使用して、試験データを表示し、試験プラットフォームとインターフェースをとり、データを読み出し、要求する。
【００８５】
特に、ツールは、ログオン機能を含み、ユーザ名およびパスワード等のアクセス入力、またはチップもしくはバー、またはＱＲコード（登録商標）上の埋込コード等の他のアクセス入力を受信する。図２０に図示される実施形態の用途は、図２０に図示されるタイプの試験機械に限定されないことに留意されたい。例えば、代替実施形態では、整形外科試験システムのためのコントローラからのデータが、遠隔アクセスのために、遠隔試験プラットフォームに伝送されることができる。
【００８６】
図２−３は、ファイアウォール１１６４または電子スクリーニングアプリケーションによって遠隔試験プラットフォーム１１５０から分離される試験設備における、１つ以上の試験デバイス１３０−１、１３０−２間のインターフェースのための通信シーケンスを図示する。図２１に示されるように、モバイル通信プラットフォーム１１５２は、遠隔試験プラットフォーム１１５０へのアウトバンドメッセージを生成するようにプログラムまたは構成される。アウトバンドメッセージ１２００は、システムステータス変化、そのような試験完了ステータス、アラートステータス、または保守ステータスに基づいて生成され得る。アウトバンドメッセージ１２００に応答して、遠隔試験プラットフォーム１１５０は、メッセージ返信１２０２を生成し、試験または他のデータを要求する。メッセージ返信に応答して、遠隔通信プラットフォーム１１５４は、ステータスアラート、試験データ、保守データ、または他のデータ等の要求されるデータを伝送する。図２１に示されるように、アウトバンドメッセージ１２００に応答して、遠隔試験プラットフォーム１１５０は、任意の遠隔またはモバイルコンピューティングデバイスがデータを要求しているか、および／またはアラートが保留中であるかどうかどうかを決定し、該当する（または、要求が、最初に、モバイルまたは遠隔デバイス１５６によって開始された）場合、要求されるデータのための返信メッセージ１２０２を生成する。前述のように、そのようなメッセージングは、ロングポーリングまたはＷｅｂｓｏｃｋｅｔプロトコルを使用して行われることができる。データは、モバイルまたは遠隔コンピューティングデバイスによって、コンピューティングデバイス１１２０またはコントローラ１３４もしくは種々の遠隔コンピューティングデバイス１２０４の入力デバイスを通してユーザによって入力されたステータスアラートまたはデータ要求機能のアクティブ化を通して、遠隔試験プラットフォーム１１５０に要求されることができる。
【００８７】
図２２は、上記図２１に図示されるような、コントローラ１３４または試験デバイス１３０と遠隔試験プラットフォーム１１５０との間の通信シーケンスを例証する。ステップ１２１０に示されるように、通信プラットフォーム１１５４は、アウトバンドメッセージ１２００を遠隔試験プラットフォーム１１５０に生成し、遠隔試験プラットフォーム１１５０からのデータのためのインバウンド返信メッセージ１２０２を呼び出す（但し、可能性として、時間遅延される）。インバウンドまたはアウトバンドメッセージは、伝送のために要求されるデータタイプを含むことができる。ステップ１２１２では、通信プラットフォーム１１５４は、インバウンド返信メッセージ１２０２を受信する。ステップ１２１４において、インバウンド返信メッセージ１２０２に応答して、遠隔通信プラットフォーム１１５４は、上で例示されるように、コントローラ１３４とインターフェースをとり、必要に応じて、モバイル試験プラットフォームモジュール１１５２を使用して、試験データまたは情報をコントローラ１３４から読み出し、フォーマットする。ステップ１２１６では、通信プラットフォーム１１５０は、データを遠隔試験プラットフォーム１１５０に伝送する。アウトバンドメッセージ１２００は、試験ステータスの変化に基づいて、またはユーザ入力に応答したモバイルプラットフォームモジュール１１５２を介して実装されるアラートに応答して、生成されるか、または別様に、繰り返し送信され、遠隔またはモバイルコンピュータユーザが、試験試料に対して行われる試験におけるそのステータスまたは現在の場所について問い合わせを行うまで待つことができる。アウトバンドメッセージ１２０２に応答して、遠隔試験プラットフォーム１１５０は、遠隔またはモバイルコンピューティングデバイスからの要求をポーリングまたは別様に待ち、データ要求またはアラートが保留中であり、特定の試験設備における特定の試験デバイスに対するデータ要求またはアラートに応答するために、データを要求するための返信メッセージ１２０２を生成するかどうか決定することができる。例証的データは、稼働状態、インターロック状態、信号値およびステーションログ、油圧動力ユニットオン／オフステータス、および低／高ステータス、試験ステータス、試験稼働時間、完了したサイクル、力データ、変位データ、保守アラート、故障データ、コマンドされた力および／または変位データ、試験実行／一時停止／停止ステータス、または他のデータを含む。試験デバイス１３０に対して行われる要求は、１つ以上のモバイルデバイス１５６から生じ、そこに提供され得、試験デバイス１３０に対して行われる要求は、各モバイルデバイスユーザに対して異なり得る。遠隔試験プラットフォーム１１５０は、遠隔試験プラットフォームにアクセスする各ユーザに対するユーザアカウント情報を維持することができ、ユーザアカウント情報は、ユーザがその試験デバイス１３０または試験デバイス１３０の集合にアクセスする権限を有するか、およびどの認可された要求が試験デバイス１３０の各々または集合に対して行われることができるかに関する情報を示す。
【００８８】
一実施形態では、遠隔試験プラットフォーム１１５０は、それに接続される各試験デバイス１３０に対して、モバイルまたは遠隔デバイス１５６の１人以上のユーザからの試験デバイス１３０に行われる全要求を含むキューを維持する。要求は、所望に応じて、先入先出ベースにおいて、またはある優先順位に基づいて、遠隔返信メッセージ１２０２において具現化されることができる。試験デバイス１３０に行われる要求およびそれからの応答は、前述のような、ステータスに関して問い合わせを行うこと、リアルタイム試験データを得ること、または情報の要約に限定される必要はなく、試験デバイスへのアクセスを有するモバイルデバイスユーザおよび／または試験デバイス１３０のオペレータ間の通信の形態もとり得ることに留意されたい。そのような通信は、モバイルコンピューティングデバイス１５６、遠隔試験プラットフォーム１１５０、および遠隔通信プラットフォーム１１５４のハードウェアおよび処理能力に応じて、ＧＵＩおよび必要なハードウェア（例えば、モニタおよび／またはスピーカ）を使用するユーザの各々にレンダリングされるテキストメッセージ、画像メッセージ、オーディオ、および／またはビデオクリップであり得る。遠隔試験プラットフォーム１１５０を通して、試験デバイス１３０のユーザおよび／または試験デバイス１３０へのアクセスを有するユーザに提供される通信は、一方または両方のユーザ（また、モバイルデバイス１５６のユーザ間のみに通信を含み得る）の注意が、試験デバイス１３０の性能または使用に集中されるため、特に、効率的である。同様に、そのようなユーザが、試験デバイス１３０の前にいない場合、または遠隔ユーザが、データを試験デバイス１３０から受信するために接続されていない状況では、メッセージは、例えば、遠隔試験プラットフォーム１１５０に記憶され、試験デバイス１３０の前にいるか、または遠隔もしくはモバイルデバイス１５６と通信が行われるときに、ユーザに提供されることができる。再び、これは、記憶された通信の通知および／または送達が、ユーザの注意が試験デバイス１３０に集中されているときに提供されるため、特に、効率的である。ＧＵＩは、ＧＵＩ上でのユーザによる対応するボタン等の選択を用いて、種々のタイプの通信のそれぞれの捕捉または記録を開始することができる。
【００８９】
図２３は、複数の試験ステーション１２２０に複数の試験デバイスを有する、試験設備のための試験アプリケーションを図示する。図示される実施形態では、コントローラ１３４は、各試験ステーション（１つのみ図２３に示される）に接続される１つ以上の通信チャネル１２２４、１２２６を通して、複数の試験ステーション１２２０、１２２２の試験デバイスと通信する。コントローラ１３４は、１つ以上の通信チャネルを経由して、入力コマンドおよび出力を伝送し、センサ、アクチュエータ、ロードセル、およびＬＶＤＴ（図２３には図示せず）等の試験デバイスの１つ以上の制御ユニットとインターフェースをとる。例証的入力／出力は、コマンドされた力または変位およびフィードバック力または変位を含む。コントローラは、ｉ／ｏデータを制御ユニットから受信し、遠隔試験プラットフォーム１１５０への伝送のために、通信チャネル１２２４、１２２６を通して、データをモバイル通信プラットフォーム１１５４に提供する。示されるように、試験ステーション１２２０、１２２２の各々を動作させるためのＰＣコンピュータ１１２０またはコントローラ１３４は、ルータ１２３０を通してコントローラ１３４に接続される、または、例えば、ＵＳＢポート接続または直接イーサネット（登録商標）接続を通して、直接、コントローラに接続されることができる。図示される実施形態では、コントローラ１３４は、ユーザインターフェース１２３２を含み、モバイル試験プラットフォームの種々の機能をアクティブ化する。
【００９０】
図２４は、前述のように、モバイル通信プラットフォームを実装する試験デバイスの別の実施形態を図示する。実施形態では、試験装置またはデバイスは、ＩＤコード１２００（識別）を有し、複数の試験デバイスおよびそのためのデータを区別する。ＩＤコードは、バーまたはＱＲコード（登録商標）１２０２等、画像に関連付けられ、試験デバイス１３０に貼り付けられる。画像またはバーコードのパターンは、システムコントローラ１３４またはコンピューティングデバイス１１２０のメモリもしくは示されるコントローラ１３４および遠隔試験プラットフォーム１１５０内に記憶される。デバイスからの試験データは、ＩＤコード１２００を利用して、遠隔試験プラットフォームのキャッシュまたはデータ記憶１１６０、１１６２内に記憶される。示されるように、カメラ２４０を具備するモバイルデバイス（または、他の遠隔コンピューティングデバイス（図示せず））が、試験デバイス１３０に貼り付けられた画像またはバーコード１２０２を利用して、データにアクセスするために使用される。カメラ２４２は、バーコード２４０の光学画像２４４を捕捉し、バーコードのデジタル画像をリーダアプリケーション２４５に提供する。デジタル画像は、リーダアプリケーション２４５によって処理され、英数字ＵＲＬコード２４０等を提供し、これは、遠隔試験プラットフォーム１１５０からの試験デバイス１３０のための情報またはデータにアクセスするために使用される。代替実施形態では、近距離通信ツールが、コードを提供するために使用される。そのような実施形態では、モバイルまたは遠隔コンピューティングデバイスは、無線がチップに近接して保持されると、無線を使用して、チップ（ＮＦＣチップまたはタグ）上に埋め込まれたコードを読み出す。コードは、次いで、遠隔またはモバイルコンピューティングデバイスを通して、試験デバイスのための情報またはデータにアクセスするための入力にアクセスするために使用される。
【００９１】
図２５に図示される実施形態では、センサ、アクチュエータ、ＬＶＤＴ、ならびにロードセルおよびコントローラ構成要素を含む試験デバイス１３０の構成要素の各々は、識別コードを含む。示される実施形態では、試験機械の構成要素は、別個の識別または画像コードによって識別される。特に、示されるように、アクチュエータ、ロードセル、ＬＶＤＴ、フレーム、および種々のセンサは、構成要素の各々のための特定のデータに別個にアクセスするためのコードを含む。特定のデータは、前述のように保守チェックを行うため、または技術データを読み出すために使用されることができる。アクチュエータ１１０６、ロードセル１１１０、ＬＶＤＴ１１１４、およびセンサ１１１２上の画像またはバーコードは、デバイス１３０と別個の構成要素ＩＤまたはＵＲＬを提供する。伝送されるデータは、関連付けられたデバイスＩＤまたは構成要素ＩＤを含み、データのソースを区別する。ユーザは、図２４に関して前述のように、画像またはバーコードを使用して、デバイスまたはデバイス１３０の任意の構成要素に対する試験または保守データにアクセスすることができる。
【００９２】
図２６は、モバイルデバイス上のカメラ２４２およびデバイス１３０に貼り付けられた画像またはＱ／Ｒコード（例えば、マトリクスバーコード）を使用して、モバイルまたは遠隔デバイスを通して、遠隔試験プラットフォーム１１５０上の試験データにアクセスする方法ステップを図示する。ステップ２５０に図示されるように、バーコードの入力画像は、カメラ２４２を介して捕捉され、バーコードのデジタル画像２４４を生成する。デジタル画像は、ステップ２５２によって図示されるように、バーコードリーダ２４５によって処理され、デバイスＩＤまたはコードを提供する。ステップ２５４では、遠隔試験プラットフォームへのインターフェースが、コードおよびモバイルデバイスアドレスを伝送するために呼び出される。ステップ２５６によって図示されるように、モバイルまたは遠隔デバイスは、デバイスコードまたはＵＲＬアドレスに対応する試験デバイスに対するデータフェードまたはアラートを受信する。
【００９３】
図２７は、コンピューティングデバイス１１２０またはコントローラ１３４のディスプレイデバイス１１４２を通して、またはシステムコントローラ（図示せず）のディスプレイデバイスを通して表示されることができる、ＧＵＩディスプレイバー２６０の実施形態を図示する。ＧＵＩディスプレイバー２６０は、コンピューティングデバイス１１２０またはコントローラ１３４もしくはシステムコントローラ１３４上の試験プラットフォームモジュールまたはツール１１５２を通して実装される。示されるように、ＧＵＩディスプレイバー２６０は、ユーザが、アラートを有効／無効にし、電子メールまたはテキストメッセージングを使用して、試験実験室または設備のためのＵＲＬを遠隔コンピューティングデバイスに送信し、試験デバイスのための機器状態を変更または設定することを可能にする。特に、メッセージアイコン２６１の選択は、ユーザが、実験室内のＰＣコンピューティングデバイス１１２０またはコントローラ１３４を通して、ユーザの遠隔コンピューティングデバイスへのリンクを電子メールまたはテキストメッセージ送信することを可能にする。リンクの選択は、試験デバイスに対するデータおよび情報を読み出し、ユーザの遠隔コンピューティングデバイス上の図２８−３０に示されるようなＧＵＩディスプレイを提供する。
【００９４】
図２８−３０は、試験データおよびステータスへのアクセスを提供する、遠隔コンピューティングデバイス１２０４のための種々のＧＵＩディスプレイを図示する。前述のように、遠隔試験プラットフォームまたはシステムは、デスクトップコンピュータ、ポータブルコンピュータ、またはタブレット等の遠隔コンピューティングデバイスにデータを提供するために利用されることができる。遠隔アクセスを提供するために、コンピュータまたはタブレットは、試験データ、ステータス情報にアクセスし、アラートをアクティブ化するためのモバイルアプリケーションツール１１５５およびモジュールを含む。コンピュータまたはタブレット上のツールもしくはモジュールは、種々のＧＵＩを生成し、モバイルまたは遠隔試験プラットフォーム１１５０とインターフェースをとるように構成される。図３１に図示されるＧＵＩ  ２７０は、複数の試験デバイスまたはステーション１３０を含む、試験実験室または設備２７２のレイアウトを再現する、実験室ビューディスプレイを図示する。試験実験室または設備２７２内の試験デバイスの物理的場所または一般的レイアウトを表す、そのようなＧＵＩは、ＧＵＩ上の試験デバイス１３０のためのアイコンの位置および／または関係が試験設備２７０のそれに対応することから、そのようなディスプレイのユーザが、より容易におよび／または正確に、要求が行われるであろう所望の試験デバイスを識別することができるため、特に、有用である。示されるように、ＧＵＩ  ２７０は、メニュー部分２７２およびディスプレイ部分２７６を含む。メニュー部分２７４は、実験室および家具選択２７８等の非試験デバイスアイコンに加え、試験デバイスまたは機器選択２７６のメニューを含む。非試験デバイスアイコン／要素をＧＵＩ内に含む能力はさらに、ユーザが、容易かつ正確に、要求が行われる所望の試験デバイスのための正しい試験デバイスアイコンを識別するのを補助する。示されるように、実験室および家具選択２７８は、デスクアイコン、イスを含むが、しかしながら、アプリケーションは、特定の家具物品に限定されず、壁（外部および／または内部）、パーティション等の実験室設備の構造要素ならびに窓、ドア、または他の開口部等のその中の要素を含むことができる。
【００９５】
示されるＧＵＩ  ２７０とインターフェースをとるために、入力またはポインティングデバイスが、ディスプレイ部分２７６上に、試験デバイス、所望に応じて、非試験デバイスアイコン（例えば、家具）選択２７７、２７８とを選択し、位置付け、実験室２７２の実際の配列またはレイアウトを再現するために使用される。したがって、ユーザは、ユーザが、物理的実験室または設備内の場所に基づいて、種々の試験デバイス１３０を迅速に参照するように、ディスプレイ部分２７６を配列し、実験室内の試験ステーションの配列を一致させることができる。図示される実施形態では、試験デバイス選択２７７は、実験室内の実際の表現に対応する試験ステーションまたはデバイスアイコンを含む。試験ステーションのためのアイコンまたは選択は、１つ以上の試験デバイスまたは設備のためのＵＲＬまたは他の識別を利用して、遠隔試験プラットフォーム１１５０からＧＵＩ  ２７０に伝送される試験ステーションに関するデバイス情報に基づいて生成される。
【００９６】
当業者によって理解されるように、ユーザもしくは実験室識別は、ＵＲＬアドレスを通して伝送されることができるか、またはユーザもしくは実験室識別は、入力プロンプトに応答して、および前述のようにバーコードを通して、入力されることができる。図２９は、１つ以上の試験ステーションに対する試験デバイスの各々の実験室ビュー概要２８０を図示する。示されるように、実験室ビュー概要２８０は、各試験デバイスのためのコンピューティングデバイス、通信チャネルまたはステーション、稼働時間、および他の情報を提供する。ユーザは、入力選択２８５、２８６を介して、実験室ビュー２７０と実験室概要２８０との間をトグルすることができる。図３０は、特定の試験デバイスに対する単一ステーションビュー２９０のためのＧＵＩを図示する。示されるように、単一ステーションビューは、コマンドおよびフィードバックデータを含む、より詳細なデータを提供する。単一ステーションビュー２９０は、単一試験デバイスアイコンまたは選択の選択に応じて、ドリルダウン機能を使用して生成される。単一試験デバイスのためのデータは、例えば、前述の通信プロトコルを使用して、ドリルダウン機能のアクティブ化に応答して、遠隔試験プラットフォーム１１５０から読み出される。
【００９７】
図３１は、モバイル試験プラットフォームツール１１５２のアラート機能を通して実装されるアラート通知を図示する。図示される実施形態では、アラート機能は、試験完了機能アラートである。示されるように、アラート／通知機能の実装は、アウトバンドメッセージ１２００を遠隔試験プラットフォーム１１５０に生成する。メッセージ１２００に応答して、遠隔試験プラットフォーム１１５０は、アラート／通知を要求するための返信メッセージ１２０２を生成する。代替として、試験プラットフォームは、有意なイベントが生じる度に、通知を遠隔試験プラットフォームに送信し得る。遠隔試験プラットフォームは、いくらかのモバイルデバイスまたはユーザが、このイベントをアラートされることを所望しているかどうかを決定するであろう。該当する場合、遠隔試験プラットフォーム１１５０は、適切な方法を通して、モバイルまたは遠隔コンピューティングデバイスにアラートする。前述のように、返信メッセージ１２０２に応答して、通知データが、遠隔試験プラットフォームを通して、モバイルデバイスに伝送される。示されるように、アラート／通知ディスプレイ２９５は、ステーションＩに対する試験稼働が完了したことの通知を含み、遠隔試験プラットフォーム１１５０内における試験データ記憶に対するデータログを閲覧するためのリンク２９６を含む。
【００９８】
図示される実施形態では、試験プラットフォームは、メッセージ１２００を遠隔試験プラットフォーム１１５０に送信し、それが観察すべきことと、発生時に遠隔試験プラットフォームに知らせるべきこととを要求することができる。試験プラットフォームは、次いで、これらのこと（例えば、信号に関する限界等）を監視することができ、その特定のトリガが生じると、メッセージを遠隔試験プラットフォーム１１５０に送信するであろう。遠隔試験プラットフォーム１１５０は、次いで、適宜作用し、トリガが生じたことを遠隔デバイスまたはユーザにアラートすることができる。本方法は、アラートが、試験プラットフォームがそれらを遠隔試験プラットフォーム１１５０に送信し得るより早く要求されるとき、または帯域幅を低減させるために有用であり、したがって、遠隔試験プラットフォームが情報を得るまで決定を遅延させる代わりに、試験プラットフォーム１１５０が、アラートが生じたときに決定を行うことができる。
【００９９】
図３２は、前述のように、モバイル試験プラットフォームモジュールおよびツール１１５２を通して実装される例示的メッセージング機能を図示する。示されるように、試験ステーションにおけるユーザは、コンピューティングデバイス１１２０またはコントローラ１３４の入力デバイスを介して、スティッキノート（ｓｔｉｃｋｙ  ｎｏｔｅ）を通して、メッセージポスト３００を打ち込むことができる。入力メッセージポスト３００に応答して、通信プラットフォーム１１５４は、前述の通信プロトコルを利用して、メッセージをモバイルまたは遠隔コンピューティングデバイスに伝送する。
【０１００】
図３３は、クラウドベースの保守またはサービスプラットフォーム３５０を図示する。図示される実施形態では、プラットフォームは、サイトＡおよびＢ  ３５２、３５４における複数のステーションを監視および／または点検するために使用される。示され、前述のように、プラットフォーム３５０は、保守ツール３６０、技術サポートツール３６２、製品／付属品サポートツール３６４、および利用測定ツール３６６を含む。ツールは、前述のように、通信プロトコルを介して、サイトＡおよびＢにおける油圧アクチュエータまたは他の動力デバイス等の動力式デバイスとインターフェースをとるように構成される。保守ツール３６０は、サイトＡまたはサイトＢのコントローラユニットまたはデバイスからの保守データを使用し、保守アラートおよびスケジュール保守プロシージャを発行する。保守データは、サイクルカウント、すなわち、より小さい力ではなく、例示的前述のより多くの損傷単位を考慮したより高い力で、ある期間にわたって加えられる力の量として、保守ステータスを計算するための使用時間を使用して、損傷単位計算に基づいて計算されることができる。
【０１０１】
技術サポートツール３６２は、ステーションデバイスのための技術情報を利用して、遠隔コンピューティングデバイス１２０４またはモバイルデバイスを通して、技術サポートをユーザに提供する。デバイスのタイプおよびモデルは、関連付けられたデバイスおよびステーションコードに基づいて識別される。製品サポートツール３６４は、試験デバイス１３０および／またはモバイルならびに遠隔デバイス１５６におけるＧＵＩを通して、ステーションまたは試験デバイスのユーザに対して、製品または付属品提案を提供する。例えば、技術サポートツール３６２は、メッセージを生成し、遠隔試験プラットフォーム１１５０に送信され、これは、次いで、続いて、試験デバイス１３０と既知の関連付けを有する、ステーションデバイス、試験デバイス、および／またはモバイルデバイス１５６によってレンダリングされる。対応するＧＵＩは、ボタン、リンク、アイコン、または他の形態のユーザ選択可能特徴を生成し、メッセージに関連するさらなる情報を得ることができる。例えば、ユーザ選択可能特徴のアクティブ化は、直接または間接的に（遠隔試験プラットフォーム１１５０を通して）、技術サポートツール３６２に伝送されることができる。技術サポートツール２５２は、次いで、さらなる情報のタイプのわずかな例を挙げると、可能な付属品に関するさらなる情報（ユーザをオンラインカタログ、または注文を受ける、および／または質問に回答するために配備された人員につなげる等）、製品更新情報、保守に関する情報を伝送することができる。利用ツール３６６は、自動的に、必要コントローラとインターフェースをとり、現在の状態情報が技術サポートツール３６２によって必要とされる場合、限定ではないが、デバイスに関する使用時間またはサイクル等の試験デバイスもしくは試験ステーションの現在の状態に関連する利用パラメータを読み出すことができる。ツール３６０、３６２、３６４、３６６からの情報は、前述のように、遠隔コンピューティングデバイス（図示せず）またはモバイルデバイスにブロードキャストされることができる。示されるように、ツールからの情報はまた、集中制御のために、管理デバイス３７０に伝送またはブロードキャストされる。管理デバイス３７０は、デスクトップコンピュータまたはサーバであることができる。管理デバイスに提供される保守情報は、ステーションデバイスのための保守を監視およびスケジューリングするために使用される。管理デバイス３７０に提供される利用情報は、サービス協定を監視し、利用に基づいて、サービス契約のための請求額を決定するために使用されることができる。
【０１０２】
本主題が、構造特徴および／または方法論的行為に特有の言語で説明されたが、添付の請求項に定義される主題は、裁判所によって判断されているように、必ずしも、前述の具体的特徴または行為に限定されないことを理解されたい。むしろ、前述の具体的特徴または行為は、請求項を実装する例示的形態として開示される。
【図１】
0006672141.tif 000002
【図２】
0006672141.tif 000003
【図３】
0006672141.tif 000004
【図４】
0006672141.tif 000005
【図４Ａ】
0006672141.tif 000006
【図４Ｂ】
0006672141.tif 000007
【図５】
0006672141.tif 000008
【図６】
0006672141.tif 000009
【図７】
0006672141.tif 000010
【図８】
0006672141.tif 000011
【図９】
0006672141.tif 000012
【図１０】
0006672141.tif 000013
【図１１】
0006672141.tif 000014
【図１２】
0006672141.tif 000015
【図１２Ａ】
0006672141.tif 000016
【図１３】
0006672141.tif 000017
【図１４】
0006672141.tif 000018
【図１５】
0006672141.tif 000019
【図１６】
0006672141.tif 000020
【図１７】
0006672141.tif 000021
【図１８】
0006672141.tif 000022
【図１９】
0006672141.tif 000023
【図２０】
0006672141.tif 000024
【図２１】
0006672141.tif 000025
【図２２】
0006672141.tif 000026
【図２３】
0006672141.tif 000027
【図２４】
0006672141.tif 000028
【図２５】
0006672141.tif 000029
【図２６】
0006672141.tif 000030
【図２７】
0006672141.tif 000031
【図２８】
0006672141.tif 000032
【図２９】
0006672141.tif 000033
【図３０】
0006672141.tif 000034
【図３１】
0006672141.tif 000035
【図３２】
0006672141.tif 000036
【図３３】
0006672141.tif 000037